(57)【特許請求の範囲】
【請求項１】
カメラに着脱可能であり、且つ装着された前記カメラから電力の供給を受けるアクセサリーであって、
第１発光部と、前記第１発光部を制御する第１制御部とを含む第１発光機能部と、
第２発光部と、電力を蓄積する蓄積部に充電する充電部と、前記第２発光部を制御する第２制御部とを含む第２発光機能部と、
前記第１発光機能部と前記第２発光機能部とのいずれの発光機能部に対して、前記カメラからの前記電力を供給するかを切り替える切替スイッチと、
入力された切り替え信号に応じて、前記切替スイッチを制御するアクセサリー制御部と、
を備えることを特徴とするアクセサリー。
【請求項２】
前記アクセサリー制御部は、
前記切り替え信号が第１切替信号の場合には、前記切替スイッチを介して、前記第１発光部による発光処理を選択的に機能させ、
前記切り替え信号が第２切替信号の場合には、前記切替スイッチを介して、前記第２発光部による発光処理を選択的に機能させる
ことを特徴とする請求項１に記載のアクセサリー。
【請求項３】
前記第１発光部は、連続発光し、
前記第２発光部は、閃光発光する、
ことを特徴とする請求項１または２に記載のアクセサリー。
【請求項４】
前記第２発光部が発光する場合、前記蓄積部に充電された電力が、前記第２発光部に供給される
ことを特徴とする請求項１から３のうちいずれか１項に記載のアクセサリー。
【請求項５】
前記第１発光部が発光する場合、前記カメラから供給される電力が、前記第１発光部に供給される
ことを特徴とする請求項１から４のうちいずれか１項に記載のアクセサリー。
【請求項６】
前記アクセサリー制御部は、前記切替スイッチを介して、
前記切り替え信号が第１切替信号の場合には、前記第１発光部に電力を供給し、
前記切り替え信号が第２切替信号の場合には、前記第２発光部に電力を供給する
ことを特徴とする請求項１から５のうちいずれか１項に記載のアクセサリー。
【請求項７】
前記アクセサリー制御部は、
前記カメラの撮影モードに応じて、前記切替スイッチを制御する、
ことを特徴とする請求項１から請求項６のうちいずれか１項に記載のアクセサリー。
【請求項８】
前記撮影モードは、予め定められている複数の撮影モードのうちから選択されたいずれかの撮影モードであり、
前記複数の撮影モードには、前記カメラが動画撮影を行う第１撮影モード、及び前記カメラが静止画撮影を行う第２撮影モードが含められている
ことを特徴とする請求項７に記載のアクセサリー。
【請求項９】
前記アクセサリー制御部には、前記カメラから、撮影モードを示す撮影モード情報が入力され、
前記アクセサリー制御部は、前記撮影モード情報を前記切り替え信号として扱う
ことを特徴とする請求項１から請求項８のうちいずれか１項に記載のアクセサリー。
【請求項１０】
第１の操作部を有しており、
前記第１の操作部の操作状態に応じた切り替え信号が入力される
ことを特徴とする請求項１から６のうちいずれか１項に記載のアクセサリー。
【請求項１１】
前記カメラに備えられている第２の操作部の操作状態に応じた切り替え信号が入力される
ことを特徴とする請求項１から９のうちいずれか１項に記載のアクセサリー。
【請求項１２】
前記電力は、前記カメラから供給される
ことを特徴とする請求項１から請求項１１のうちいずれか１項に記載のアクセサリー。
【請求項１３】
カメラに着脱可能であり、且つ装着された前記カメラから電力の供給を受けるアクセサリーが備えるアクセサリー制御部を制御するアクセサリー制御プログラムであって、
切り替え信号を入力するステップと、
第１発光部と、前記第１発光部を制御する第１制御部とを含む第１発光機能部と、第２発光部と、電力を蓄積する蓄積部に充電する充電部と、前記第２発光部を制御する第２制御部とを含む第２発光機能部と、のいずれの発光機能部に対して、前記カメラからの前記電力を供給するかを切り替える切替スイッチを、前記切り替え信号に応じて制御するステップと、
を含むことを特徴とするアクセサリー制御プログラム。
【発明の詳細な説明】
【技術分野】
【０００１】
本発明は、アクセサリー、及びアクセサリー制御プログラムに関する。
【背景技術】
【０００２】
カメラは、閃光装置等のアクセサリーとともに使用されることがある（例えば、特許文献１参照）。アクセサリーは、カメラのアクセサリーシュー（シュー座、ホットシュー等ともよばれる）に接続されて、使用される。アクセサリーシューは、アクセサリーを制御する制御信号をアクセサリーへ出力する端子を有する。カメラは、アクセサリーシューの端子を介してアクセサリーに制御信号を送信し、アクセサリーを制御することができる。
【先行技術文献】
【特許文献】
【０００３】
【特許文献１】米国特許出願公開第２０１０／０３２９３０２号明細書
【発明の概要】
【発明が解決しようとする課題】
【０００４】
カメラ及びアクセサリーを備えるカメラシステムは、使い勝手がよい（利便性が高い）ことが期待される。カメラシステムは、例えばユーザーの操作に応答しないことや応答が遅いこと等があると、使い勝手が悪くなってしまう。本発明は、上記の事情に鑑み成されたものであって、利便性が高いアクセサリー、及びアクセサリー制御プログラムを提供することを目的とする。
【課題を解決するための手段】
【０００５】
本発明の第１の態様のアクセサリーは、カメラに着脱可能であり、且つ装着された前記カメラから電力の供給を受けるアクセサリーであって、第１発光部と、前記第１発光部を制御する第１制御部とを含む第１発光機能部と、第２発光部と、電力を蓄積する蓄積部に充電する充電部と、前記第２発光部を制御する第２制御部とを含む第２発光機能部と、のいずれの発光機能部に対して、カメラからの電力を供給するかを切り替える切替スイッチと、入力された切り替え信号に応じて、前記切替スイッチを制御するアクセサリー制御部と、を備えることを特徴とする。
【０００６】
本発明の第２の態様のアクセサリー制御プログラムは、カメラに着脱可能であり、且つ装着された前記カメラから電力の供給を受けるアクセサリーが備えるアクセサリー制御部を制御するアクセサリー制御プログラムであって、切り替え信号を入力するステップと、第１発光部と、前記第１発光部を制御する第１制御部とを含む第１発光機能部と、第２発光部と、電力を蓄積する蓄積部に充電する充電部と、前記第２発光部を制御する第２制御部とを含む第２発光機能部と、のいずれの発光機能部に対して、前記カメラからの前記電力を供給するかを切り替える切替スイッチを、前記切り替え信号に応じて制御するステップと、を含むことを特徴とする。
【発明の効果】
【０００７】
本発明によれば、利便性が高いアクセサリー、及びアクセサリー制御プログラムを提供することができる。
【図面の簡単な説明】
【０００８】
【図１】本実施形態のカメラシステムの外観を示す図である。
【図２】本実施形態のカメラシステムを図１とは反対側から見た図である。
【図３】本実施形態のアクセサリーシューの外観を示す図である。
【図４】本実施形態のアクセサリーシューを示す図である。
【図５】本実施形態のコネクターの外観を示す図である。
【図６】本実施形態のカメラシステムの機能構成を示すブロック図である。
【図７】本実施形態のアクセサリーの構成を示す図である。
【図８】通信処理の手順を示す図である。
【図９】アクセサリーにおける充電制御の処理の手順を示す図である。
【図１０】撮影シーケンスにおける処理の手順を示す図である。
【図１１】照明発光機能を機能させる撮影シーケンスにおける処理の手順を示す図である。
【図１２】図７に示すアクセサリーの変形例を示す図である。
【発明を実施するための形態】
【０００９】
本実施形態について説明する。以下の説明において、同様の構成要素については、同じ符号を付してその説明を簡略化あるいは省略することがある。
【００１０】
（カメラシステム１の外観構成）
図１は、本実施形態のカメラシステム１の外観を示す図である。図２は、本実施形態のカメラシステム１を図１とは反対側から見た図である。
図１及び図２に示すカメラシステム１は、カメラ１０（カメラボディ１００及び撮影レンズ２００）及びアクセサリー４００を備える。本実施形態のアクセサリー４００は、発光機能を有し、被写体を照らすことができる。カメラ１０は、アクセサリー４００と通信して、アクセサリー４００を制御することができる。カメラシステム１は、例えば、アクセサリー４００によって被写体を照らしながら、カメラ１０によって被写体の像を撮像することができる。
【００１１】
図１に示すように、カメラ１０は、カメラボディ１００及び撮影レンズ（交換レンズ）２００を備える。カメラボディ１００は、撮影レンズ２００を取り付け可能なレンズマウント１１を備える。なお、撮影レンズ２００は、カメラボディ１００とマウントするためのレンズ側マウント（不図示）を備えている。撮影レンズ２００はそのレンズ側マウントを介して、レンズマウント１１に対して着脱可能である。カメラボディ１００は、レンズマウント１１が配置されている正面１２に対して側方を向く側面のうち上部に配置された頂面（上面）１３と、正面１２とは反対側に配置された背面１４とを有する。
【００１２】
カメラボディ１００は、それぞれ頂面１３に配置された、レリーズ釦１６、アクセサリーシュー（以下、シュー座１５という）、及び電源スイッチ３１を備える。カメラ１０は、レリーズ釦１６が押下されたことを検出して、撮像処理等の各種処理を行う。シュー座１５は、アクセサリー４００を取り付け可能なように、構成されている。電源スイッチ３１は、カメラボディ１００のオン状態とオフ状態とを切替えるスイッチである。
【００１３】
本実施形態において、図１等に示すＸＹＺ直交座標系を設定し、構成要素の位置関係等を説明することがある。このＸＹＺ直交座標系において、Ｙ軸方向は、撮影レンズ２００の光軸とほぼ平行な方向である。 
【００１４】
アクセサリー４００は、アクセサリー本体４１０、コネクター４２０、及び発光部４２５を備える。発光部４２５は、それぞれ光を射出する射出面を備えた照明光発光部４３１（第１発光部）と、閃光発光部４４１（第２発光部）とを備える。アクセサリー本体４１０は、照明光発光部４３１及び各種電気部品などを収容している。コネクター４２０は、アクセサリー本体４１０の下方に設けられている。コネクター４２０は、カメラボディ１００のシュー座１５に対して着脱可能である。アクセサリー４００は、コネクター４２０がシュー座１５に装着されることによって、カメラボディ１００に装着されてカメラボディ１００に対して固定される。
【００１５】
閃光発光部４４１は、アクセサリー本体４１０に対してコネクター４２０とは反対側（上方）に設けられている。閃光発光部４４１は、アクセサリー４００がカメラボディ１００に取り付けられた状態で且つ閃光発光部４４１の射出面がカメラボディ１００の正面１２側（＋Ｙ方向側）の方向を向いている場合には、撮影レンズ２００の光軸とほぼ平行な方向に閃光照明光（Ｘｅ管からの閃光発光）を発することができる。閃光発光部４４１はその射出面の向き（姿勢）を、アクセサリー本体４１０に対して変化（姿勢変化）できるように設けられている。例えば、閃光発光部４４１の射出面を、アクセサリー本体４１０の上方（＋Ｚ側）に向けて閃光照明光を発することもできる。一方、照明光発光部４３１は、アクセサリー４００がカメラボディ１００に取り付けられた状態で、カメラボディ１００の正面１２側（＋Ｙ側）に向けて（撮影レンズ２００の光軸とほぼ平行な方向に）連続照明光（例えばＬＥＤ照明光）を発することができる。
【００１６】
図２に示すように、カメラボディ１００は、背面１４に配置された表示部１０２と、背面１４に配置された設定スイッチ１０４とを備える。表示部１０２は、液晶表示素子や有機エレクトロルミネッセンス表示素子等の表示素子を備える。表示部１０２は、撮像される画像、各種設定を示す画像、アクセサリー４００の状態を示す画像、撮像条件を示す画像等を表示することができる。設定スイッチ１０４は、カメラ１０とアクセサリー４００の各種設定項目を変更するためのユーザーからの入力を、受け付けることができる。各種設定項目は、ズーム倍率設定、撮影モード設定、ホワイトバランス設定、露光時間設定、表示切り替え設定のうちの少なくとも１つを含む。撮影モード設定は、例えば、オートモード設定又はマニュアルモード設定である。
【００１７】
図２に示すように、アクセサリー４００は、第１パイロットランプ４５５、第２パイロットランプ４５６、第１操作部４２４、及び第２操作部４７１を備える。第１パイロットランプ４５５は、図１に示した閃光発光部４４１の動作状態に応じて発光する。第２パイロットランプ４５６は、図１に示した照明光発光部４３１の動作状態に応じて発光する。第１操作部４２４は、アクセサリー４００をカメラボディ１００から取り外すために、ユーザーによって操作される操作部材である（換言すれば第１操作部４２４は取外し操作部材である）。第２操作部４７１は、アクセサリー４００の機能全体のオン状態とオフ状態とを切替えるために、ユーザーによって操作される操作部材である（換言すれば第２操作部４７１はＯＮ／ＯＦＦ操作スイッチである）。
【００１８】
（シュー座の構成）
図３は、本実施形態のシュー座１５の外観を示す図である。図４は、シュー座１５を図３の上から(図３の天板部２２から−Ｚ軸方向に)、部分的に透過して見た平面図である。   シュー座１５は、底板部２１、天板部２２、底板部２１と天板部２２との間に配置された側板部２３、底板部２１と天板部２２との間に配置された開口２４、及び底板部２１に配置された端子部２５を備える。
【００１９】
底板部２１は、図１に示したカメラボディ１００の頂面１３に取付けられている。底板部２１は、カメラボディ１００の頂面１３に取付けるのに用いられる取り付け孔２６と、アクセサリー４００を係止するのに用いられる係止孔２７とを有する。底板部２１は、取り付け孔２６の内側に配置されるネジ等によって、カメラボディ１００の頂面１３に固定される。本実施形態において、＋Ｚ軸方向を「上方」ということがある。
【００２０】
天板部２２は、上方（Ｚ軸方向）から見た平面形状がほぼＵ字形状である。開口２４は、底板部２１から天板部２２へ向かう方向（Ｚ軸方向）に対して交差する方向に向って、開いている。開口２４は、側板部２３の内壁の延在方向（Ｙ軸方向）にほぼ平行な方向に向って、開いている。開口２４は、コネクター４２０を挿入することができるように、寸法及び形状が設定されている。
【００２１】
端子部２５は、図４において符号Ｔｐ１からＴｐ１２で示される複数（１２個）の端子を有する。アクセサリー４００は、シュー座１５の開口２４にコネクター４２０を挿入して所定の方向（＋Ｙ軸方向）にスライド移動させることによって、シュー座１５に取付けられる（図１参照）。
【００２２】
図５は、本実施形態のコネクター４２０の外観を示す図である。コネクター４２０は、底部４２１と、底部４２１からコネクター４２０の外部に向って突出する可動部材（以下、係止爪４２２という）と、底部４２１に設けられた端子部４２３とを備える。コネクター４２０は、開口２４に挿入された状態で、底板部２１と天板部２２との間に配置され、底板部２１から天板部２２に向う方向においてシュー座１５に対する移動が規制される。第１操作部４２４（図２参照）は、係止爪４２２を所定の方向に移動させるために、ユーザーによって操作可能な操作部材である。係止爪４２２は、操作部４２４のリンク機構から受ける力によって、所定の方向（図５の＋Ｚ軸方向）に移動する。つまり係止爪４２２は、図３に示した係止孔２７に係止されている状態で操作部４２４が操作された場合に、係止孔２７の内側から退避するように＋Ｚ側に移動する。これにより、アクセサリー４００は、カメラボディ１００に対する位置の規制が解除され、カメラボディ１００から取り外すことが可能な状態になる。
【００２３】
端子部４２３は、符号Ｔｓ１からＴｓ１２で示される複数（１２個）の端子を有する。端子部４２３が有する端子の数は、シュー座１５の端子部２５が有する端子の数と同じである。端子部４２３が有する複数の端子は、それぞれ、シュー座１５の端子部２５が有する複数の端子のいずれかと１対１で対応している。端子部４２３が有する複数の端子は、それぞれ、コネクター４２０がシュー座１５に接続された状態で、シュー座１５の端子部２５が有する複数の端子のうちの対応関係にある端子と接触して電気的に接続される。
【００２４】
（カメラシステムの機能構成）
図６は、本実施形態のカメラシステムの機能構成を示すブロック図である。図６に示すように、撮影レンズ２００は、光学系２１０、光学系駆動部２２０、及び光学系制御部２３０を含む。被写体から撮影レンズ２００へ入射した光は、光学系２１０を通ってカメラボディ１００の撮像素子１２１の受光面へ入射する。
【００２５】
光学系駆動部２２０は、光学系２１０を駆動するアクチュエータ、光学系２１０における光学部品の位置を検出するエンコーダ、及び手振れ等による光学系２１０の移動を検出するセンサーを備える。光学系駆動部２２０のアクチュエータは、例えば、フォーカシング制御用モータ、パワーズーム制御用モータ、絞り開口制御用モータ、手ブレ補正（Ｖｉｂｒａｔｉｏｎ  Ｒｅｄｕｃｔｉｏｎ；ＶＲ）制御用モータ、伸筒・縮筒制御用モータを含む。
【００２６】
光学系駆動部２２０は、光学系制御部２３０からの制御指令に従って光学系駆動部２２０のアクチュエータを動作させることによって、フォーカシング制御、ズーミング制御、露出制御、ＶＲ制御、及び撮影レンズ２００の伸縮制御を行うことができる。アクセサリー４００は、照明光制御部４３０、照明光発光部４３１、閃光制御部４４０、閃光発光部４４１、及び不揮発性メモリー４４５を含む。アクセサリー４００の詳細については、後述する。
【００２７】
カメラボディ１００は、電池収納部１１０、撮像処理部１２０、シャッター駆動部１３０、表示部制御回路１３５、メモリー１４０、メモリー制御回路１４５、入力部１５０、操作検出回路１５５、記憶部１５８、及びカメラ制御部１７０を備える。電池収納部１１０は、一次電池や二次電池等の電池ＢＡＴを収納することができる。電池ＢＡＴは、電池収納部１１０に収納されることによって、カメラボディ１００に搭載される。電池収納部１１０に収納された電池ＢＡＴは、カメラシステム１の構成要素、例えば表示部１０２や撮影レンズ２００、アクセサリー４００等の動作に必要な電力（ＰＷＲ）を供給することができる。
【００２８】
撮像処理部１２０は、撮像素子１２１、撮像素子制御回路１２２、及び画像回路１２３を備える。撮像素子１２１は、二次元的に配列された複数の画素を備える。撮像素子１２１の各画素は、ＣＣＤ（Ｃｈａｒｇｅ  Ｃｏｕｐｌｅｄ  ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の受光素子を備える。撮像素子１２１の受光素子は、光学系２１０から各画素へ入射した光の光量に応じた電荷を発生する。撮像素子１２１は、各画素に入射した光により受光素子に発生した電荷を信号に変換する。撮像素子１２１は、光学系２１０を介して撮像素子１２１の受光面に形成された像（光学像）に応じたアナログの画像信号を生成する。撮像素子１２１は、撮像素子制御回路１２２と画像回路１２３のそれぞれに接続されている。画像回路１２３は、撮像素子１２１から出力された画像信号を増幅し、アナログの画像信号をデジタル信号に変換する。撮像素子制御回路１２２は、撮像素子１２１を制御して、撮像素子１２１に、像に応じた画像信号を生成させることや、生成した画像信号を出力させること等ができる。
【００２９】
シャッター駆動部１３０は、カメラボディ１００に収容されているシャッターの開閉を制御する。表示部制御回路１３５は、例えば、表示部１０２の点灯や明るさ調整、消灯等の表示制御や、カメラ制御部１７０から出力される画像データを表示部１０２に表示させる処理を行う。
メモリー１４０は、例えば、メモリーカード等のようにカメラボディ１００から抜き差し可能な記憶媒体である。メモリー１４０は、例えば、カメラ制御部１７０によって生成される画像データ等を記憶する。メモリー制御回路１４５は、カメラ制御部１７０とメモリー１４０との間の情報の入出力を制御する。
【００３０】
入力部１５０は、ユーザーが操作することが可能な設定スイッチ１０４及びレリーズ釦１６を備える。操作検出回路１５５は、入力部１５０に入力されたユーザーの操作を検出する。操作検出回路１５５は、入力部１５０に入力されたユーザーの操作を示す操作情報を生成し、生成した操作情報をカメラ制御部１７０に出力する。
【００３１】
記憶部１５８は、不揮発性メモリー１６０及びバッファメモリー１６５を備える。不揮発性メモリー１６０は、カメラ制御部１７０を動作させるプログラムや、撮像により生成された画像データ、装置の状態を示す情報、カメラシステム１の各負荷部の消費電力を示す情報、ユーザーから入力された各種設定や撮像条件等の情報を記憶する。バッファメモリー１６５は、カメラ制御部１７０の制御処理に用いられる一時的な情報の記憶部である。カメラ制御部１７０は、例えば、撮像素子１２１から出力される画像信号や、画像信号に応じて生成された画像データ等をバッファメモリー１６５に一時的に記憶させる。
【００３２】
カメラ制御部１７０は、不揮発性メモリー１６０に記憶されたプログラムに基づいてカメラボディ１００の構成要素の動作を制御するＣＰＵ（Ｃｅｎｔｒａｌ  Ｐｒｏｃｅｓｓｉｎｇ  Ｕｎｉｔ）と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の電子部品とを備える。カメラ制御部１７０は、例えば、操作検出回路１５５がカメラ制御部１７０に出力した操作情報に応じて、カメラボディ１００への電源の投入や、光学系駆動部２２０を介した光学系２１０の駆動制御、撮像素子制御回路１２２を介した撮像素子１２１の駆動制御、表示部制御回路１３５を介した表示部１０２の表示制御、画像回路１２３に出力された画像信号に対する処理の制御等を行う。
【００３３】
カメラ制御部１７０は、画像処理部１７１、表示制御部１７２、撮像制御部１７３、操作検出処理部１７４、電力制御部１７５、及び通信部１７６を含む。画像処理部１７１は、画像回路１２３から出力された画像信号に基づいて、画像データを生成する画像処理を行う。画像処理部１７１は、画像処理により生成した画像データをバッファメモリー１６５に記憶させる。
【００３４】
表示制御部１７２は、画像処理部１７１によって生成されバッファメモリー１６５に記憶された画像データを一定時間間隔ごとに読み出し、読み出した画像データを表示部１０２に繰り返し表示させる。また、表示制御部１７２は、画像処理部１７１によって生成されバッファメモリー１６５に記憶された画像データを一定時間間隔ごとに読み出し、動画形式のデータ（動画データ）としてメモリー１４０に記録させる。また、表示制御部１７２は、後述する電力制御部１７５の判定結果に応じて、電池ＢＡＴの充電残量を表示部１０２に表示させる。
【００３５】
操作検出処理部１７４は、操作検出回路１５５が出力した操作情報に基づいて操作検出回路１５５が検出したユーザーの操作を判定し、判定した情報をバッファメモリー１６５に記憶させる。操作検出処理部１７４は、ユーザーからの操作に応じた各種処理の制御指令を、操作に対応する処理を実行する構成要素（機能部）に出力する。操作検出処理部１７４は、例えば撮像処理の実行を要求する旨の入力部１５０への入力を操作検出回路１５５が検出した場合に、操作検出回路１５５が操作検出処理部１７４に出力した操作情報に基づいて、撮像処理の実行を要求する制御指令を撮像制御部１７３に出力する。
【００３６】
また、操作検出処理部１７４は、例えばオートフォーカス（ＡＦ）処理の実行を要求する旨の入力部１５０への入力を操作検出回路１５５が検出した場合に、操作検出回路１５５が操作検出処理部１７４に出力した操作情報に基づいて、ＡＦ処理の実行を要求する制御指令を出力する。ＡＦ処理において、光学系制御部２３０は、操作検出処理部１７４が出力した制御指令に基づいて、光学系２１０を介して撮像素子１２１で検出された画像を利用した測距結果を参照しつつ、光学系駆動部２２０のフォーカシング制御用モータを制御して、例えばユーザーが指定した被写体にピントが合うように、光学系２１０の焦点を調整する。
【００３７】
撮像制御部１７３は、操作検出回路１５５が出力した制御指令に基づいて、カメラシステム１の構成要素に撮像処理を実行させるための制御信号を、カメラシステム１の構成要素に出力する。撮像制御部１７３は、撮像処理に関連する処理として、例えば以下のような処理を実行させる。撮像処理において、撮像制御部１７３は、予めユーザーから入力された撮像条件に応じて、光学系制御部２３０を介して光学系２１０のフォーカシング制御、露出制御、ズーミング制御、ＶＲ制御等の制御を行う。また、撮像制御部１７３は、撮像処理において、シャッター駆動部１３０を制御することによって、シャッターが開いている時間（露光時間）を制御し、撮像素子１２１の受光面に光学系２１０からの光を露光時間だけ照射させる。また、撮像制御部１７３は、必要に応じて、アクセサリー４００を制御して、撮影タイミングに同期させてアクセサリー４００から光を照射させる。
【００３８】
電力制御部１７５は、電池ＢＡＴから出力される電源電圧を検出した結果と判定閾値とを比較することにより、電池ＢＡＴにおける電力の残量を判定する。また、電力制御部１７５は、カメラシステム１の各負荷部の消費電力を示す情報を収集し、カメラシステム１の各負荷部の消費電力を監視する。
【００３９】
通信部１７６は、カメラボディ１００の内部の各負荷部を制御する負荷制御部と通信可能に接続される。カメラボディ１００の内部の負荷部は、例えば表示部１０２等であり、負荷制御部は、例えば表示部制御回路１３５等である。また、通信部１７６は、カメラシステム１のうちカメラボディ１００の外部に配置される外部装置に対して、各外部装置の制御部と通信可能な状態で接続される。本実施形態のアクセサリー４００は、外部装置の１つであり、照明光制御部４３０が通信部１７６と通信可能に接続される。
【００４０】
（アクセサリー４００の構成とカメラ１０との接続関係）
図７は、本実施形態のアクセサリー４００の構成、及びアクセサリー４００とカメラ１０(上述したカメラボディ１００及び撮影レンズ２００)との接続関係を示す図である。
【００４１】
まず、カメラ１０について説明する。カメラ１０は、負荷部３０、電源スイッチ３１、電源部３２、及びアクセサリー電源制御部３３を備える。
負荷部３０は、既述のシャッター駆動部１３０や表示部１０２等のようにカメラボディ１００の負荷部と、光学系駆動部２２０や光学系制御部２３０等のようにカメラボディ１００の外部の負荷部とを含む。電源スイッチ３１は、電池ＢＡＴから負荷部３０の重負荷部への電力の供給を遮断するスイッチである。
【００４２】
電源部３２は、電池ＢＡＴから供給される電力に基づいて、電池ＢＡＴの出力電圧を安定化して負荷部３０の軽負荷部及びカメラ制御部１７０に供給する。電源部３２は、電池ＢＡＴの出力電圧を安定化する定電圧回路を備える。アクセサリー電源制御部３３は、第１端子、第２端子、及び制御端子を備える。アクセサリー電源制御部３３は、制御端子に入力される制御信号に応じて、第１端子と第２端子の間を導通状態にするか否かを切替えるスイッチである。
【００４３】
カメラボディ１００の端子部２５は、アクセサリー４００の端子部４２３と電気的に接続可能である。端子部２５は、符号Ｔｐ１から符号Ｔｐ１２で示される複数の端子を含む（図４参照）。図４及び図７に示すように、カメラボディ１００の端子部２５における各端子は、次のように割り付けられる。
【００４４】
端子部２５において、電源端子Ｔｐ１１とＴｐ１２は、それぞれ、カメラボディ１００内の電池ＢＡＴからの電力ＰＷＲをアクセサリー４００側に供給する端子である。接地端子Ｔｐ１とＴｐ２とは、それぞれ、電源端子Ｔｐ１１とＴｐ１２に対応する接地端子である。接地端子Ｔｐ１及びＴｐ２は、電位が電力ＰＷＲの基準電位になる端子である。また接地端子Ｔｐ１及びＴｐ２は、電力ＰＷＲを利用するカメラボディ１００内の回路（負荷部３０の重負荷部）用の接地端子である。
【００４５】
基準電位端子Ｔｐ３とＴｐ５とは、それぞれ、電位が基準電位ＳＧＮＤ（シグナルグランド）になる端子である（即ち、信号の授受を行うための基準となる電位となる端子である）。また基準電位端子Ｔｐ３及びＴｐ５は、カメラボディ１００内の回路用の接地端子である。同期信号端子Ｔｐ４は、アクセサリー４００側で生成する通信用クロック信号である同期信号（クロック信号）ＣＬＫがアクセサリー４００から入力される端子である。
【００４６】
通信信号端子Ｔｐ６は、カメラ側データ（各種コマンドを含む）を含む通信信号ＤＡＴＡをアクセサリー４００側に出力する端子でもあり、且つその逆に、アクセサリー４００側の各種情報（アクセサリー４００の固有情報や設定情報など）を含む通信信号ＤＡＴＡがアクセサリー４００側から入力される端子でもある。
起動状態検出端子Ｔｐ７は、シュー座１５に対してコネクター４２０が装着された状態であり且つアクセサリー起動可能状態を示す（換言すれば、アクセサリー４００が起動して機能できる状態を示す）起動検出レベル（電気的なＬレベル）ＤＥＴを、アクセサリー４００側が提供しているか否かを検出するための端子である。
【００４７】
発光制御信号端子Ｔｐ８は、アクセサリー４００の閃光発光部４４１と照明光発光部４３１の少なくとも一方の発光を制御する発光制御（発光指令）信号Ｘをアクセサリー４００に対して出力する端子である。発光制御（発光指令）信号Ｘは、ひらたく言えば、閃光発光部４４１または照明光発光部４３１に対して発光開始を指示する制御指令である。
通信制御信号端子Ｔｐ９は、カメラ１０からアクセサリー４００に対して通信を始める際に通信制御（通信開始）信号Ｃｓをカメラ１０からアクセサリー４００に対して出力する端子である。この通信制御信号Ｃｓは、前述の通信信号端子Ｔｐ６を介したカメラ１０とアクセサリー４００との間のＤＡＴＡ通信の通信開始タイミングを定める信号である。
オープン端子Ｔｐ１０は、電力と信号の双方が供給されない端子であり、いわゆるオープン端子である。このオープン端子Ｔｐ１０は、システムの将来的な機能拡張のために予備的に設けられている端子である。
【００４８】
カメラ制御部１７０は、端子部２５及び端子部４２３を介して、アクセサリー４００と通信してアクセサリー４００を制御するための制御信号を、アクセサリー４００に供給する。本実施形態において、カメラ制御部１７０がアクセサリー４００に供給する制御信号は、アクセサリー４００における発光部４２５の発光を制御する発光制御信号Ｘ、通信信号ＤＡＴＡ、及びカメラ１０とアクセサリー４００との間の通信タイミングを定める通信制御信号Ｃｓである。
【００４９】
カメラ制御部１７０は、図６に示した不揮発性メモリー１６０とバッファメモリー１６５の少なくとも一方に記憶されている情報を読み出して、読み出した情報を照明光制御部４３０へ送信する。カメラ制御部１７０は、照明光制御部４３０から受信した情報を不揮発性メモリー１６０とバッファメモリー１６５の少なくとも一方に記憶させる。
不揮発性メモリー１６０に記憶されている情報は、カメラ１０の初期状態を示すカメラ初期状態情報、及びカメラ１０の設定状態を示すカメラ設定状態情報を含む。
【００５０】
カメラ初期状態情報は、カメラ１０の種類を示す情報、カメラ１０が有する機能の種類を示す情報、カメラ１０が有する各機能の特性を示す情報等を含む。カメラ１０が有する機能の種類を示す情報は、例えば、ＡＥ制御を行うか否かを示す情報、ＡＷＢ制御を行うか否かを示す情報等である。
【００５１】
カメラ設定状態情報は、カメラ１０が有する各機能を機能させるか否かを示す設定情報、カメラ１０の撮影モードを示す情報等である。撮影モードを示す情報は、例えば、カメラ１０が動画として画像を撮像する撮影モードに設定されているか否かを示す情報、カメラ１０が静止画として画像を撮像する撮影モードに設定されている否かを示す情報等である。カメラ１０が静止画として画像を撮像する撮影モードに設定されていることを示す情報は、例えば、単写と連写のいずれを行うモードに設定されているか否かを示す情報である。単写を行うモードは、例えば、レリーズ釦１６が押下されるたびに１枚の画像を撮像する撮影モードである。連写を行うモードは、レリーズ釦１６が押下されている間に、複数の画像を撮像する撮影モードである。
【００５２】
（カメラ１０における各構成要素の接続関係）
次に、図７を参照してカメラ１０における各構成要素の接続関係について説明する。以下の説明における電池ＢＡＴは、電池収納部１１０に収納された状態とする。電池ＢＡＴの正極は、電源線４０（ＰＷＲ）を介して、電源スイッチ３１の一端に接続されている。電源スイッチ３１の他端は、負荷部３０の重負荷部の電源端子に接続されている。負荷部３０の重負荷部の接地端子は、接地線４１（ＰＧＮＤ）を介して、電池収納部１１０に収納された電池ＢＡＴの負極に接続されている。
【００５３】
また、電池ＢＡＴの正極は、電源線４０を介して、電源部３２の入力端子に接続されている。電源部３２の第１出力端子は、負荷部３０の軽負荷部の電源端子に接続されている。負荷部３０の軽負荷部の接地端子は、接地線４２（ＳＧＮＤ）を介して、電池ＢＡＴの負極に接続されている。また、電源部３２の第２出力端子は、カメラ制御部１７０の電源端子に接続されている。第２出力端子の電位は、第１出力端子の電位と異なっている。カメラ制御部１７０の接地端子は、接地線４２（ＳＧＮＤ）を介して、電池ＢＡＴの負極に接続されている。
【００５４】
接地端子Ｔｐ１は、接地線４３（ＧＮＤ）を介して、電池ＢＡＴの負極に接続されている。接地端子Ｔｐ２は、接地端子Ｔｐ１とは並列に、接地線４３を介して電池ＢＡＴの負極に接続されている。基準電位端子Ｔｐ３は、接地線４２を介して、電池ＢＡＴの負極に接続されている。基準電位端子Ｔｐ５は、基準電位端子Ｔｐ３とは並列に、接地線４２を介して電池ＢＡＴの負極に接続されている。なお、本実施形態のカメラ１０のグランドは、いわゆる一点グランド（一点アース）を採用している。
【００５５】
同期信号端子Ｔｐ４、通信信号端子Ｔｐ６、起動状態検出端子Ｔｐ７、発光制御信号端子Ｔｐ８、及び通信制御信号端子Ｔｐ９は、それぞれ、信号線を介してカメラ制御部１７０に接続されている。オープン端子Ｔｐ１０は、カメラ制御部１７０、電源線４０、接地線４１、接地線４２、及び接地線４３等の他の回路と絶縁されている。
【００５６】
通信信号端子Ｔｐ６に接続しているラインにはプルアップ抵抗が設けられている。このプルアップ抵抗は電源部３２の出力側に電気的に接続されている。このため通信信号端子Ｔｐ６における電位（レベル）は、アクセサリー４００の装着前及びアクセサリー４００との通信開始前にＨレベルに維持される。なお、起動状態検出端子Ｔｐ７に接続しているラインにも、上記通信信号端子Ｔｐ６と同様に、プルアップ抵抗が設けられている。これについては図９を参照して後述する。
【００５７】
電源端子Ｔｐ１１は、アクセサリー電源制御部３３の第１端子に接続されている。電源端子Ｔｐ１２は、電源端子Ｔｐ１１と並列に、アクセサリー電源制御部３３の第１端子に接続されている。アクセサリー電源制御部３３の第２端子は、電源線４０を介して、電池ＢＡＴの正極に接続されている。アクセサリー電源制御部３３は、その制御端子にカメラ制御部１７０から入力される制御信号によって、電池ＢＡＴから電源端子Ｔｐ１１と電源端子Ｔｐ１２への電力供給を遮断することができる。
【００５８】
（アクセサリー４００の構成）
本実施形態のアクセサリー４００は、カメラ１０から供給される電力ＰＷＲによって動作する。アクセサリー４００は、照明光制御部４３０、照明光発光部４３１、閃光制御部４４０、不揮発性メモリー４４５、閃光発光部４４１、第１電源部（電源部１）４５０−１、第２電源部（電源部２）４５０−２、切替スイッチ４６１、第１スイッチ部４６５（ＭＳＷ）、及び第２スイッチ部４７０（ＰＣＳＷ）を備える。
なお、切替スイッチ４６１は、図上では、１ｃリレー（１つの共通接点ｃ、メーク接点ａ、及びブレーク接点ｂを有するリレー）の記号で示されているが。この切替スイッチ４６１は、機械式のリレーで構成してもよく、また、半導体スイッチで構成してもよい。
【００５９】
図７に示す本実施形態のアクセサリー４００では、カメラ１０の撮影モードに応じて、照明光制御部４３０により切替スイッチ４６１の接点のオン／オフ状態（接点の接続状態）を制御することにより、アクセサリー４００における閃光発光動作と照明光発光動作とを切り替える点に特徴がある。すなわち、第１撮影モード（照明撮像）の場合に、照明光制御部４３０は、切替スイッチ４６１の共通接点ｃと接点ｂとを閉路（クローズ）にすることにより、照明光発光部４３１に電力を供給して照明光発光動作が行えるようにする。また、第２撮影モード（閃光撮像）の場合に、照明光制御部４３０は、切替スイッチ４６１の共通接点ｃと接点ａとを閉路（クローズ）にすることにより、閃光制御部４４０及び閃光発光部４４１に電力を供給して閃光発光動作が行えるようにする（なお、実際の点灯は、カメラ１０からの指令信号により行われる）。
これにより、アクセサリー４００は、カメラ１０側からの充電指令信号を受信することなく、撮影モードに応じて充電制御を行うことができる。すなわち、第１撮影モード（照明撮像）の場合は、照明光発光部４３１（第１発光部）における点灯が行えるようにし、第２撮影モード（閃光撮像）の場合は、閃光発光部４４１（第２発光部）における点灯が行えるようにできる。
【００６０】
以下、図７を参照して、アクセサリー４００の構成について詳細に説明する。
電源線４８１に接続される第１電源部（電源部１）４５０−１は、カメラ１０から供給された電力ＰＷＲの電圧を安定化（定電圧制御）する定電圧回路を備える。電源部４５０−１は、定電圧回路によって電圧が安定化された電力を、照明光制御部４３０に供給する。また、第２電源部４５０−２は、切替スイッチ４６１を介して電源線４８１に接続され、カメラ１０から供給された電力ＰＷＲの電圧を安定化（定電圧制御）する定電圧回路を備える。電源部４５０−２は、定電圧回路によって電圧が安定化された電力を、閃光制御部４４０に供給する。
【００６１】
照明光制御部４３０は、照明光発光部４３１における発光動作を制御する。照明光発光部４３１は、照明光光源駆動部４３２及び照明光光源４３３を備える。この閃光発光部４４１は、切替スイッチ４６１を介して、カメラボディ１００から電力（ＰＷＲ）の供給を受ける。この照明光光源４３３は、連続照明光を発光可能な発光ダイオード（ＬＥＤ）等の固体光源を備える。照明光光源駆動部４３２は、照明光光源４３３に電流を供給することによって、照明光光源４３３を発光させる。照明光光源駆動部４３２は、照明光制御部４３０の制御により、照明光光源４３３を撮影タイミングに同期させて発光させる。照明光光源駆動部４３２は、照明光制御部４３０から入力された制御信号に従って、照明光光源４３３を発光させる時間（点灯時間）を制御する。
【００６２】
閃光制御部４４０は閃光発光部４４１における発光動作を制御する。閃光発光部４４１は、充電部４４２及び閃光光源４４３を備える。閃光光源４４３は、キセノン管など周知の閃光照明光源を備える。閃光発光部４４１は、切替スイッチ４６１を介して、カメラボディ１００から電力（ＰＷＲ）の供給を受ける。閃光発光部４４１内の充電部４４２は、カメラボディ１００から供給された電圧を昇圧する昇圧回路部と、その昇圧回路部で昇圧された電圧に基づいて閃光光源４４３を発光させるのに必要な電力を蓄積可能な蓄積回路部（蓄積部／コンデンサ／又はキャパシタ）とを備える。充電部４４２は、蓄積部（蓄積回路部）に蓄積された電力を閃光光源４４３に供給することによって、閃光光源４４３を発光させる。
【００６３】
充電部４４２は、閃光制御部４４０から供給される信号に従って、充電部４４２の蓄積部への充電を開始又は停止する。充電部４４２は、蓄積部を充電する充電処理中に蓄積部の電極間の電圧（充電電圧）を検出することによって、蓄積部が蓄積している充電量（蓄電量、電荷量）を検出することができる。充電部４４２は、検出した蓄積部の充電量を示す情報を閃光制御部４４０に供給する。なお、充電部４４２は、周知の発光制御回路（例えば周知のＩＧＢＴのように発光の開始・停止を制御する回路）を備えており、閃光制御部４４０から入力された信号に従って、閃光光源４４３を撮影タイミングに同期させて発光させること、及び閃光光源４４３の発光量を制御することができる。
【００６４】
本実施形態において、閃光発光部４４１の最大の発光量は、照明光発光部４３１の最大の発光量よりも多い。閃光発光部４４１は、例えば静止画の撮像時に点灯され、照明光発光部４３１の点灯時よりも被写体を明るく照らすことができる。また、照明光発光部４３１の最長の点灯時間（最長点灯時間）は、閃光発光部４４１の最長の点灯時間よりも長い。照明光発光部４３１は、例えば動画の撮像時に点灯され、閃光発光部４４１の点灯時間よりも被写体を長時間にわたって照らすことができる。
本実施形態において、閃光発光部４４１が発する光を閃光と称し、閃光発光部４４１が閃光を発する機能を閃光発光機能と称すことがある。また、照明光発光部４３１が発する光を照明光と称し、照明光発光部４３１が照明光を発する機能を照明発光機能と称すことがある。
【００６５】
本実施形態において、第１スイッチ部４６５（ＭＳＷ）は、既述した係止爪４２２（図５参照）に機械的に連動している。第１スイッチ部４６５は、係止爪４２２が所定の方向（Ｚ軸方向）に移動することによって、内部のスイッチ回路を閉路（クローズ）又は遮断（オープン）する。第１スイッチ部４６５は、アクセサリー４００がカメラ１０への装着が完了された場合に、内部のスイッチ回路を閉路する。また、第２スイッチ部４７０（ＰＣＳＷ）は、既述した第２操作部４７１（図２参照）に機械的に連動している。第２スイッチ部４７０は、第２操作部４７１が操作されることによって、回路を閉路又は遮断する。
【００６６】
照明光制御部４３０は、不揮発性メモリー４４５に記憶されたプログラムに基づいてアクセサリー４００の構成要素の動作を制御するＣＰＵと、ＡＳＩＣ等の電子部品とを備える。照明光制御部４３０は、端子部４２３及び端子部２５を介して、カメラ制御部１７０と通信する。また照明光制御部４３０は、閃光制御部４４０と通信することにより、この閃光制御部４４０を通して閃光発光部４４１の発光動作を制御する。この閃光制御部４４０も、照明光制御部４３０と同様に、閃光発光部４４１の動作を制御するＣＰＵと、ＡＳＩＣ等の電子部品とを備えている。
【００６７】
この照明光制御部４３０は、カメラ制御部１７０との間で通信を行うことにより、記憶部４４４に記憶されているアクセサリー初期状態情報又はアクセサリー設定状態情報に含まれる各種の情報のうちの少なくとも１つの情報を、カメラ制御部１７０へ送ることができる。また、照明光制御部４３０は、カメラ制御部１７０から受信した情報を、記憶部４４４に記憶させることができる。
【００６８】
アクセサリー初期状態情報は、アクセサリー４００の種類を示すアクセサリー種類情報を含む。アクセサリー種類情報は、アクセサリー４００に電池が搭載されているか否かを示す電池有無情報、アクセサリー４００が有する各機能の種類を示す機能種類情報、及びアクセサリー４００が有する各機能の特性を示す特性情報を含む。機能種類情報は、閃光発光機能の有無を示す情報、照明発光機能の有無を示す情報、及び拡張機能の有無を示す情報を含む。拡張機能は、閃光発光機能と照明発光機能のいずれにも該当しない他の機能であり、例えば調光機能、ＧＰＳ（Ｇｌｏｂａｌ  Ｐｏｓｉｔｉｏｎｉｎｇ  Ｓｙｓｔｅｍ）機能、カメラボディ１００以外の装置との通信機能等である。
【００６９】
照明光制御部４３０は、カメラ制御部１７０から供給された制御信号に基づいて、アクセサリー４００の構成要素を制御する。照明光制御部４３０は、カメラ制御部１７０から供給された発光制御信号Ｘに従って、照明光発光部４３１または閃光発光部４４１を発光させる発光制御を行う。閃光発光部４４１を発光させる発光制御において、照明光制御部４３０は、閃光光源４４３がカメラ側の撮影タイミングと同期して発光するように、閃光制御部４４０を通して充電部４４２を制御する。照明光発光部４３１を発光させる発光制御において、照明光制御部４３０は、照明光光源４３３が撮影タイミングと同期して発光するように、照明光光源駆動部４３２を制御する。
【００７０】
本実施形態のアクセサリー４００は、充電部４４２の蓄積部（蓄積回路部）を充電するための電源（電池）を具備（内蔵）しておらず、カメラ１０から供給される電力により充電を行う。照明光制御部４３０は、カメラ制御部１７０から撮影モードの情報を受信し、この撮影モードが第２撮影モード（閃光撮像）である場合に、切替スイッチ４６１の共通接点ｃと接点ａとの間を閉路（クローズ）にする。これにより、閃光制御部４４０及び閃光発光部４４１に電源が供給されて、閃光制御部４４０及び閃光発光部４４１が起動する。そして、閃光制御部４４０は、充電部４４２へ充電開始を指示する指令信号を送信し、充電部４４２の蓄積部（蓄積回路部）への充電を開始させる。
【００７１】
この充電中において、充電部４４２は、蓄積部（電荷蓄積部）の充電量（充電電圧）を検出し、その充電量を示す情報を閃光制御部４４０に供給する。閃光制御部４４０は、充電量が所定量(充電停止レベル)に達してなければ、その所定量(充電停止レベル)に達するまで充電動作を継続するよう充電部４４２を制御する。この閃光制御部４４０による充電動作は、その充電動作を強制的に停止せしめる充電停止指令がカメラ制御部１７０から照明光制御部４３０に対して送信されない限り、充電量が所定量（充電停止レベル）に達するまで継続される。
【００７２】
また、閃光制御部４４０は、充電部４４２に対する充電状態を示す情報（充電状態情報）を照明光制御部４３０に対して送信する。照明光制御部４３０は、閃光制御部４４０から受信した充電状態情報を、定常通信シーケンス（照明光制御部４３０とカメラ制御部１７０との間で定期的に行われる定常通信シーケンス）の中で、カメラ制御部１７０に向けて送信する。
なお、充電状態情報には、充電部４４２がその時点（現在）で充電中であるか否かを示す「充電経過情報」、充電部４４２が充電可能であるか否かを示す「充電可否情報」、及び閃光発光部４４１が発光可能な状態（レディ状態）であるか否かを示す「発光可否情報」を含む。
【００７３】
（アクセサリー４００における各構成要素の接続関係）
次に、図７を参照して、アクセサリー４００における各構成要素の接続関係について説明する。
接地端子Ｔｓ１と接地端子Ｔｓ２は、図７に示す接続パターンを介して接続されている。これら接地端子Ｔｓ１と接地端子Ｔｓ２は、アクセサリー４００がカメラ１０に接続されると、カメラ１０側の端子Ｔｐ１，Ｔｐ２を介して、カメラ１０側の接地線４３に接続される。この接地端子Ｔｓ１及び接地端子Ｔｓ２は、アクセサリー４００側の、電力ＰＷＲを利用する回路（充電部４４２）用の接地端子であり、アクセサリー４００側において、供給される電圧の基準電位となる端子であり、また充電電圧の基準電位となる端子である。
【００７４】
電源端子Ｔｓ１１は、電源線４８１に接続されている。電源端子Ｔｓ１２は、電源端子Ｔｓ１１と並列に、電源線４８１に接続されている。基準電位端子Ｔｓ３と基準電位端子Ｔｓ５は、図７に示すように接続用ラインを介して接続されている。そしてこれら基準電位端子Ｔｓ３と基準電位端子Ｔｓ５は、基準電位線４８０（ＳＧＮＤ）に並列に接続されている。この基準電位線４８０は、アクセサリー４００がカメラ１０に接続されると、基準電位端子Ｔｓ３及びＴｓ５と、カメラ１０側の端子Ｔｐ３及びＴｐ５とを介して、カメラ１０側の基準電位線（ＳＧＮＤ）４２に接続される。この基準電位端子Ｔｓ３、基準電位端子Ｔｓ５は、アクセサリー４００内の各回路（例えば、照明光制御部４３０等）において、信号の授受を行うための基準電位となる端子である。
【００７５】
起動状態提供端子Ｔｓ７は、信号線を介して、第１スイッチ部４６５内のスイッチ部の第１端子に接続されている。第１スイッチ部４６５内のスイッチ部の第２端子は、第２スイッチ部４７０（ＰＣＳＷ）内のスイッチ部の第１端子に接続されている。第２スイッチ部４７０内のスイッチ部の第２端子は、基準電位線４８０に接続されている。このように、第２スイッチ部４７０は、起動状態提供端子Ｔｓ７に接続された信号線に対して、第１スイッチ部４６５と直列に接続されている。
【００７６】
同期信号端子Ｔｓ４は、信号線を介して、照明光制御部４３０に接続されている。通信信号端子Ｔｓ６は、信号線を介して、照明光制御部４３０に接続されている。通信信号端子Ｔｓ６に接続している信号線にはプルアップ抵抗が設けられている。このプルアップ抵抗は回路電源（正側）に電気的に接続されている。このため通信信号端子Ｔｓ６における電位（レベル）は、カメラ１０への装着前及びカメラ１０との通信開始前にＨレベルに維持される。
【００７７】
通信制御信号端子Ｔｓ９は、信号線を介して、照明光制御部４３０に接続されている。通信制御信号端子Ｔｓ９に接続している信号線にはプルアップ抵抗が設けられている。このプルアップ抵抗は回路電源（正側）に電気的に接続されている。よって通信信号端子Ｔｓ６における電位（レベル）は、カメラ１０への装着前及びカメラ１０との通信開始前にＨレベルに維持される。
【００７８】
発光制御信号端子Ｔｓ８は、信号線を介して、照明光制御部４３０に接続されている。発光制御信号端子Ｔｓ８に接続している信号線にはプルアップ抵抗が設けられている。このプルアップ抵抗は回路電源（正側）に電気的に接続されている。よって通信信号端子Ｔｓ６における電位（レベル）は、カメラ１０への装着前及びカメラ１０との通信開始前にＨレベルに維持される。
【００７９】
また、電源端子Ｔｓ１２及びＴｓ１１は、電源線４８１を介して、切替スイッチ４６１の第１端子（共通接点ｃ側の端子）に接続されている。また、切替スイッチ４６１の第２端子（接点ａ側の端子）は、閃光発光部４４１に接続され、切替スイッチ４６１の第３端子（接点ｂ側の端子）は、照明光発光部４３１に接続されている。この切替スイッチ４６１の制御端子には、照明光制御部４３０から切り替え信号ＣＮＴが入力され、この切り替え信号ＣＮＴにより切替スイッチ４６１における接点の接続状態の切替が行われる。
【００８０】
また、閃光発光部４４１の閃光光源４４３における主放電用の第１の電極は充電部４４２に接続されている。主放電用の第２の電極は接地線４９０（接地線ＧＮＤ）に接続されている。充電部４４２の電源端子は、切替スイッチ４６１を介して電源線４８１に接続されている。充電部４４２の制御端子は、信号線を介して、閃光制御部４４０に接続されている。
照明光光源駆動部４３２の電源端子は、切替スイッチ４６１を介して電源線４８１に接続されている。照明光光源駆動部４３２の接地端子は、基準電位線４８０に接続されている。照明光光源駆動部４３２の制御端子は、信号線を介して、照明光制御部４３０に接続されている。照明光光源４３３は、固体光源（例えば、ＬＥＤ）のアノードが照明光光源駆動部４３２に接続され、固体光源のカソードが、基準電位線４８０に接続されている。
【００８１】
（カメラ１０とアクセサリー４００との接続関係）
次に、カメラ１０とアクセサリー４００との接続関係について説明する。アクセサリー４００がカメラ１０に装着されている状態（「装着状態」とも称す）において、接地端子Ｔｓ１は、カメラ１０の接地端子Ｔｐ１に接続される。接地端子Ｔｓ２は、装着状態において、カメラ１０の接地端子Ｔｐ２に接続される。そしてこれらアクセサリー４００側の接地端子Ｔｓ１，Ｔｓ２に接続している箇所（充電部４４２の接地端子）は、装着状態において、接地端子Ｔｐ１及び接地端子Ｔｓ１を介した経路と、接地端子Ｔｐ２及び接地端子Ｔｓ２を介した経路との少なくとも一方の経路を介して、接地線４３に接続されて電池ＢＡＴの負極に接続される。そのため、接地端子Ｔｓ１、Ｔｓ２及びそれらに接続している箇所の電位は、装着状態において、電池ＢＡＴの負極の電位に応じた基準電位になる。
【００８２】
電源端子Ｔｓ１１は、装着状態において、カメラ１０の電源端子Ｔｐ１１に接続される。電源端子Ｔｓ１２は、装着状態において、カメラ１０の電源端子Ｔｐ１２に接続される。アクセサリー電源制御部３３は、装着状態において、電源端子Ｔｐ１１及び電源端子Ｔｓ１１を介した経路と、電源端子Ｔｐ１２及び電源端子Ｔｓ１２を介した経路との少なくとも一方の経路を介して、電源線４８１に接続される。そのため、アクセサリー電源制御部３３は、カメラ制御部１７０の制御に従って、電池ＢＡＴからアクセサリー電源制御部３３に供給された電力ＰＷＲを、電源線４８１を介してアクセサリー４００内の各回路や電気部品に供給することができる。
【００８３】
基準電位端子Ｔｓ３は、装着状態において、カメラ１０の基準電位端子Ｔｐ３に接続される。基準電位端子Ｔｓ５は、装着状態において、カメラ１０の基準電位端子Ｔｐ５に接続される。基準電位端子Ｔｓ３の電位は、装着状態において、基準電位端子Ｔｐ３の電位（基準電位）になる。基準電位端子Ｔｓ５の電位は、装着状態において、基準電位端子Ｔｐ５の電位（基準電位）になる。
【００８４】
起動状態提供端子Ｔｓ７は、アクセサリー４００がカメラ１０に装着された状態であって、かつ第２スイッチ部４７０が回路を閉路している状態（オン状態）において、基準電位線４８０を介して、接地線４２に接続される。そのため、カメラ制御部１７０は、第２スイッチ部４７０がオン状態で且つカメラ１０に接続されている状態であるときに、アクセサリー４００を起動可能であることを示す起動検出レベルＤＥＴ（Ｌレベル）を、起動状態提供端子Ｔｓ７及び起動状態検出端子Ｔｐ７を介して検出することができる。
【００８５】
同期信号端子Ｔｓ４は、装着状態において、カメラ１０の同期信号端子Ｔｐ４に接続される。すなわち、照明光制御部４３０は、装着状態において、同期信号端子Ｔｐ４及び同期信号端子Ｔｓ４を介して、カメラ制御部１７０に接続される。これにより、照明光制御部４３０は、カメラ制御部１７０と同期通信を行うための同期信号ＣＬＫを、同期信号端子Ｔｓ４及び同期信号端子Ｔｐ４を介して、カメラ制御部１７０へ送信することができる。
【００８６】
通信信号端子Ｔｓ６は、装着状態において、カメラ１０の通信信号端子Ｔｐ６に接続される。すなわち、照明光制御部４３０は、装着状態において、通信信号端子Ｔｐ６及び通信信号端子Ｔｓ６を介して、カメラ制御部１７０に接続される。そのため、カメラ制御部１７０と照明光制御部４３０は、装着状態において、通信信号端子Ｔｐ６及び通信信号端子Ｔｓ６を介して、シリアルデータ通信を行うことができる。この通信信号端子Ｔｐ６及びＴｓ６はいずれも入力／出力機能を切り替え可能であり、これら両端子間における通信は、通信方向を切り替え可能な双方向通信である。通信信号ＤＡＴＡとして通信されるデータは次のようなものがある。カメラ１０側から出力されるデータとしては、カメラ制御部１７０がアクセサリー４００に処理を実行させる指令（コマンド）や、カメラ１０に関する情報（カメラデータ）などである。一方、アクセサリー４００側から出力されるデータとしては、アクセサリー４００に関する情報（アクセサリー情報）などである。なお、通信信号ＤＡＴＡは、カメラ制御部１７０が送信する場合と照明光制御部４３０が送信する場合のいずれにおいても、アクセサリー４００側から出力される同期信号ＣＬＫに同期させて送信される。
【００８７】
通信制御信号端子Ｔｓ９は、装着状態において、カメラ１０の通信制御信号端子Ｔｐ９に接続される。すなわち、照明光制御部４３０は、装着状態において、通信制御信号端子Ｔｐ９及び通信制御信号端子Ｔｓ９を介して、カメラ制御部１７０に接続される。そのため、カメラ制御部１７０は、通信制御信号端子Ｔｐ９及び通信制御信号端子Ｔｓ９を介して、照明光制御部４３０へ通信制御信号Ｃｓを供給することができる。
なお、アクセサリー４００側からカメラ１０側に情報を送信したい場合には、照明光制御部４３０は、上記の通信制御信号端子Ｔｓ９でカメラ１０側から受信した通信制御信号Ｃｓをきっかけとして開始される定常通信シーケンス（後述）において、カメラ制御部１７０に情報を送信する。
【００８８】
発光制御信号端子Ｔｓ８は、装着状態において、カメラ１０の発光制御信号端子Ｔｐ８に接続される。すなわち、照明光制御部４３０は、装着状態において、発光制御信号端子Ｔｐ８及び発光制御信号端子Ｔｓ８を介して、カメラ制御部１７０に接続される。そのため、カメラ制御部１７０は、撮影タイミングと同期してアクセサリー４００に発光（本発光）を実行させる発光制御信号Ｘを、発光制御信号端子Ｔｓ８及び発光制御信号端子Ｔｐ８を介して、照明光制御部４３０へ供給することができる。照明光制御部４３０は、発光制御信号Ｘに従って、発光制御を行う。
【００８９】
充電部４４２は、電源線４８１を介して供給される電力の電圧を昇圧する昇圧回路と、その昇圧回路で昇圧された電圧により充電される蓄積部（電荷蓄積部）とを備える。また、充電部４４２は、第１信号線を介して、照明光制御部４３０に接続されている。照明光制御部４３０は、第１信号線を介して、充電部４４２を制御する信号を充電部４４２に供給することができる。充電部４４２は、第２信号線を介して、照明光制御部４３０に接続されている。充電部４４２は、充電部４４２の充電量を示す情報を、第２信号線を介して照明光制御部４３０に供給することができる。
【００９０】
照明光制御部４３０は、照明光光源駆動部４３２を制御する信号を、信号線を介して照明光光源駆動部４３２へ供給する。そのため、照明光光源４３３は、電源線４８１及び照明光光源駆動部４３２を介して供給される電力によって、発光することができる。
【００９１】
（カメラ制御部１７０とアクセサリー４００との間の通信処理）
次に、カメラシステムにおける通信処理の手順について、説明する。以下の説明において、同様の処理については、同じ符号を付してその説明を簡略化あるいは省略することがある。
図８は、カメラシステムにおける通信処理の手順を示すフローチャートである。カメラシステム１は、アクセサリー４００を起動するための一連の処理（起動シーケンス）を行う。カメラシステム１は、起動シーケンス（ステップＳ１）において、カメラ１０とアクセサリー４００との間で通信ができるように準備する一連の処理（通信準備シーケンス）を行う（ステップＳ２）。カメラシステム１は、起動シーケンスにおいて通信準備シーケンスの終了後に、撮像に必要な情報をカメラ制御部１７０と照明光制御部４３０との間で相互に通信する一連の処理（初期通信シーケンス）を行う（ステップＳ３）。カメラシステム１は、初期通信シーケンスの終了後に、設定変更等で変化した情報を更新できるように、カメラ制御部１７０と照明光制御部４３０との間で相互に通信する一連の処理（定常通信シーケンス）を行う（ステップＳ４）。
【００９２】
カメラ制御部１７０は、定常通信シーケンスの終了後に、割込要求が有るか否かを判定する判定処理を行う（ステップＳ５）。カメラシステム１は、割込要求が無いとステップＳ５で判定した場合（ステップＳ５；Ｎｏ）に、定常通信シーケンスの処理を再度行う。カメラシステム１は、割込要求が有るとステップＳ５で判定した場合（ステップＳ５；Ｙｅｓ）に、割込処理（ステップＳ６）を行う。割込処理は、例えば、撮影シーケンスに含まれる一連の処理である。カメラシステム１は、割込処理の終了後に、定常通信シーケンスの処理を再度行う。すなわち、カメラシステム１は、撮影シーケンスにおいて、定常通信シーケンスの処理を行わない。
【００９３】
カメラシステム１は、通信準備シーケンスにおいて、カメラボディ１００にアクセサリー４００がオン状態で装着されているか否かを検出する。カメラシステム１は、カメラボディ１００にアクセサリー４００がオン状態で装着されている場合に、アクセサリー４００に電力の供給を開始し、また、カメラボディ１００は、アクセサリー４００に通信を許可することを通知する。
【００９４】
また、カメラシステム１は、初期通信シーケンスにおいて、カメラ１０とアクセサリー４００との間で撮影に必要とされる情報を相互に送る。カメラ１０とアクセサリー４００は、初期通信シーケンスにおいて、複数の情報を予め定められた順に従って送受信する。初期通信シーケンスにおける処理の初期条件として、アクセサリー４００の記憶部４４４には、アクセサリー種類を示すアクセサリー種類情報を含む情報（第１の応答情報）が予め記憶されている。アクセサリー種類情報は、機能種類情報と電池有無情報を含む。
機能種類情報は、照明光制御部４３０の制御対象の種類を示す情報（種類情報）である。照明光制御部４３０の制御対象は、照明発光機能を機能させる照明光発光部４３１があり、また、閃光発光機能を機能させる閃光制御部４４０及び閃光発光部４４１などがある。
【００９５】
また、カメラシステム１は、定常通信シーケンスにおいて、カメラ１０とアクセサリー４００との間で撮影に必要とされる情報を相互に送る。定常通信シーケンスは、図８に示したように割込要求が発生していない期間において、例えば周期が２００ｍｓ程度の周期で繰り返し実行される。カメラ１０とアクセサリー４００は、繰り返し行われる定常通信シーケンスのそれぞれにおいて、初期通信シーケンスと同様に、複数の情報を予め定められた順に従って送受信する。
【００９６】
また、カメラ１０とアクセサリー４００は、それぞれ、前回の初期通信シーケンス又は前回の定常通信シーケンスにおいて受信した情報を、必要に応じて、今回の定常通信シーケンスにおいて受信した情報に更新する。また、カメラシステム１は、初期状態情報を更新する場合に、初期通信シーケンスをやり直すこと、又は更新が必要な項目を指定して初期状態情報を更新することができる。
【００９７】
（アクセサリー４００における充電制御）
次に、アクセサリー４００において、充電部４４２を充電する充電制御について説明する。カメラシステム１は、アクセサリー４００がシュー座１５に装着されると、カメラ１０からアクセサリー４００への電力の供給を開始する。そして、アクセサリー４００内の照明光制御部４３０は、カメラ制御部１７０と通信を行うことにより、カメラ設定状態情報を受信し、このカメラ設定状態情報に含まれる撮影モードの情報を基に切替スイッチ４６１を制御し、設定された撮影モードに応じた充電制御を行う。すなわち、第１撮影モード（照明撮像）の場合は、照明光発光部４３１（第１発光部）における点灯が行えるようにし、第２撮影モード（閃光撮像）の場合は、閃光発光部４４１（第２発光部）における点灯が行えるようにする。
【００９８】
図９は、アクセサリー４００における充電制御の処理の手順を示す図である。以下、図９を参照して、その処理の手順について説明する。
定常通信シーケンスにおいて（ステップＳ４）、アクセサリー４００内の照明光制御部４３０は、カメラ制御部１７０から「カメラ設定状態情報」を受信する（ステップＳ１０１）。このカメラ設定状態情報には、カメラ１０においてユーザーにより設定された撮影モードの情報が含まれている。
【００９９】
照明光制御部４３０では、カメラ設定状態情報に含まれる撮影モードの情報を検出し、撮影モードが第１撮影モード（照明撮像）か否かを判定する（ステップＳ１０２）。そして第１撮影モード（照明撮像）と判定された場合（ステップＳ１０２；Ｙｅｓ）に、アクセサリー４００は第１撮影モードに対応する状態に移行し（ステップＳ１０４）、照明光制御部４３０は、切替スイッチ４６１に切り替え信号ＣＴＬ（例えば、Ｌレベルの信号）を送り、切替スイッチ４６１の接点を照明光側（接点ｃと接点ｂがオン）になるように制御する（ステップＳ１０５）。ステップＳ１０５の処理の終了後、照明光制御部４３０は、定常通信シーケンス（より正確には、次回の定常通信シーケンスの待ち状態）に移行する（ステップＳ４）。
【０１００】
この切替スイッチ４６１の接点ｃと接点ｂがオン（閉路）となることにより、照明光発光部４３１に電力（ＰＷＲ）が供給され、照明光光源駆動部４３２は、照明光光源４３３に電流を供給することが可能な状態になる。これにより、第１撮影モード（照明撮像）において、照明光光源駆動部４３２は、照明光制御部４３０からの制御信号により照明光光源４３３を発光させることが可能な状態になる（実際の発光は、カメラ１０側からの指令信号により行われる）。
【０１０１】
また、ステップＳ１０２において、第１撮影モード（照明撮像）でないと判定された場合（ステップＳ１０２；Ｎｏ）に、照明光制御部４３０は、カメラ１０の撮影モードが第２撮影モード（閃光撮像）であるか否かを判定する（ステップＳ１０３）。そして、撮影モードが第２撮影モード（閃光撮像）でないと判定された場合（ステップＳ１０３；Ｎｏ）は、撮影モードが第１撮影モード（照明撮像）でなく、また第２撮影モード（閃光撮像）でもない撮影モード（例えば、発光を行わない撮影モード）であり、アクセサリー４００における充電制御を行うことなく、ステップＳ４の定常通信シーケンス（より正確には、次回の定常通信シーケンスの待ち状態）に移行する。
【０１０２】
また、ステップＳ１０３において、第２撮影モード（閃光撮像）であると判定された場合（ステップＳ１０３；Ｙｅｓ）に、アクセサリー４００は、第２撮影モードに対応する充電制御状態に移行する（ステップＳ１０６）。そして、照明光制御部４３０は、切替スイッチ４６１に切り替え信号ＣＴＬ（例えば、Ｈレベルの信号）を送り、切替スイッチ４６１の接点を閃光側（接点ｃと接点ａがオン）になるように制御する（ステップＳ１０７）。
この切替スイッチ４６１の接点ｃと接点ａがオン（閉路）になることにより、閃光制御部４４０に第２電源部（電源部２）４５０−２から電源が供給され、この閃光制御部４４０が起動（動作を開始）する（ステップＳ１０８）。また、閃光発光部４４１に電力（ＰＷＲ）が供給され、閃光発光部４４１における充電動作が可能な状態になる。
ステップＳ１０８の処理の終了後に、閃光制御部４４０は、閃光発光部４４１内の充電部４４２から充電状態情報を受信し、充電部４４２の蓄積部（蓄積回路部）に対して電荷の充電が可能か否かを判定する（ステップＳ１０９）。
【０１０３】
そして、ステップＳ１０９において、充電部４４２への充電ができないと判定された場合（ステップＳ１０９；Ｎｏ）に、例えば、閃光光源４４３の発熱や、不具合等により充電部４４２への充電ができないと判定された場合は、閃光制御部４４０は、照明光制御部４３０を介して、この充電部４４２への充電不可であること示す情報（充電可否情報）を不揮発性メモリー４４５に記憶する（ステップＳ１１０）。ステップＳ１１０の処理の終了後、照明光制御部４３０は、ステップＳ４の定常通信シーケンス（より正確には、次回の定常通信シーケンスの待ち状態）に移行する。そして、照明光制御部４３０は、不揮発性メモリー４４５に記憶された充電部４４２への充電可否情報（この場合は、充電不可の情報）を、次回の定常通信シーケンス（ステップＳ４）の中で、カメラ制御部１７０に送信する。
【０１０４】
一方、ステップＳ１０９において充電可能と判定された場合（ステップＳ１０９；Ｙｅｓ）に、閃光制御部４４０は、充電部４４２の蓄積部（蓄積回路部）に対する充電動作を開始させる（ステップＳ１１１）。ステップＳ１１１の処理の終了後に、閃光制御部４４０は、充電部４４２における充電状態を監視し、蓄積部（蓄積回路部）への充電が完了したか否かを判定する（ステップＳ１１２）。このステップＳ１１２の判定処理において、充電部４４２への充電が完了していないと判定された場合（ステップＳ１１２；Ｎｏ）に、閃光制御部４４０は、この充電部４４２が充電途中であること示す情報を、照明光制御部４３０を介して不揮発性メモリー４４５に記憶する（ステップＳ１１０）。このステップＳ１１０の処理の終了後に、閃光制御部４４０は、ステップＳ１１２に移行して充電部４４２における充電動作を継続させる。照明光制御部４３０は、この充電途中の情報（充電経過情報）を、次回の定常通信シーケンス（ステップＳ４）において、カメラ制御部１７０に送信する。
【０１０５】
一方、ステップＳ１１２の判定処理において、充電完了と判定された場合は（ステップＳ１１２；Ｙｅｓ）、閃光制御部４４０は、充電部４４２における充電動作を停止させるとともに、この充電部４４２における充電完了の情報（発光可否情報）を、照明光制御部４３０を介して不揮発性メモリー４４５に記憶する（ステップＳ１１３）。このステップＳ１１３の処理の終了後に、照明光制御部４３０は、ステップＳ４の定常通信シーケンス（より正確には、次回の定常通信シーケンスの待ち状態）に移行する。照明光制御部４３０は、この発光可否情報（この場合は、発光可能情報）を、次回の定常通信シーケンス（ステップＳ４）において、カメラ制御部１７０に送信する。
【０１０６】
上述したアクセサリー４００における充電制御処理により、アクセサリー４００では、カメラ制御部１７０からの充電制御指令を受信することなく、カメラ１０の撮影モードに応じて、アクセサリー４００において照明光発光動作を行うか、または、閃光発光動作を行うかを切り替えることができる。すなわち、第１撮影モード（照明撮像）の場合に、照明光制御部４３０は、切替スイッチ４６１の共通接点ｃと接点ｂとを閉路（クローズ）にすることにより照明光発光部４３１に電力を供給して照明光発光動作が行える状態にする。また、第２撮影モード（閃光撮像）の場合に、照明光制御部４３０は、切替スイッチ４６１の共通接点ｃと接点ａとを閉路（クローズ）にすることにより閃光制御部４４０及び閃光発光部４４１に電力を供給して充電部４４２に充電を行わせ、閃光発光動作が行える状態にする。
これにより、設定された撮影モード（第１撮影モードまたは第２撮影モード）に応じて、切替スイッチ４６１の接点のオン／オフ状態を制御するだけで、照明光発光部４３１に電力を供給して照明光発光動作が行えるようにするか、または、閃光制御部４４０及び閃光発光部４４１に電力を供給して、閃光発光動作が行えるようにするかを容易に設定することができる。
【０１０７】
（閃光発光機能を機能させる撮影シーケンス）
次に、撮影シーケンスにおける処理について説明する。まず、閃光発光機能を機能させる撮影シーケンスにおける処理を中心に説明する。
図１０は、撮影シーケンスにおける処理の手順を示す図である。カメラ制御部１７０は、ステップＳ４の定常通信シーケンスの終了によりレリーズ釦１６が操作されたことが検出されると、カメラ１０の撮影モードが閃光発光機能を機能させる第２撮影モード（閃光撮像）であるか否かを撮影モード情報に基づいて、判定する（ステップＳ２００）。
【０１０８】
カメラ制御部１７０は、カメラ１０の撮影モードが第２撮影モードでないとステップＳ２００で判定した場合に（ステップＳ２００；Ｎｏ）、カメラ１０の撮影モードが照明発光機能を機能させる第１撮影モード（照明撮像）であるか否かを判定する（ステップＳ２０１）。カメラ制御部１７０は、カメラ１０の撮影モードが第１撮影モードであるとステップＳ２０１で判定した場合に（ステップＳ２０１；Ｙｅｓ）、照明発光機能を機能させる撮影シーケンスを実行する（ステップＳ１１）。カメラ制御部１７０は、カメラ１０の撮影モードが第１撮影モードでないとステップＳ２０１で判定した場合に（ステップＳ２０１；Ｎｏ）、閃光発光機能と照明発光機能のいずれも機能させない撮影シーケンスを実行する（ステップＳ１２）。
【０１０９】
カメラ制御部１７０は、カメラ１０の撮影モードが第２撮影モードであるとステップＳ２００で判定した場合に（ステップＳ２００；Ｙｅｓ）、ステップＳ４の定常通信シーケンスにおいて照明光制御部４３０から受信したアクセサリー設定状態情報のうちの発光可否情報に基づいて、閃光発光部４４１がレディ状態（発光可能状態）であるか否かを判定する（ステップＳ２０２）。カメラ制御部１７０は、閃光発光部４４１がレディ状態でないとステップＳ２０２で判定した場合に（ステップＳ２０２；Ｎｏ）、ステップＳ２０３でレリーズ釦の操作がなかった（レリーズボタンの操作結果解除）とする。ステップＳ２０３の処理の終了後に、次回の定常通信シーケンスが開始される。
【０１１０】
カメラ制御部１７０は、閃光発光部４４１がレディ状態であるとステップＳ２０２で判定した場合に（ステップＳ２０２；Ｙｅｓ）、次回の定常通信シーケンスの開始を撮影シーケンスの終了まで停止（遅延）することを示す定常通信停止通知を、照明光制御部４３０へ送信する（ステップＳ２０４）。カメラ制御部１７０は、ステップＳ２０４で送信した定常通信停止通知を照明光制御部４３０が受信したことを検出した後に、照明光制御部４３０とともに定常通信シーケンスを停止する（ステップＳ２０５）。ステップＳ２０５の処理の終了後に、閃光発光機能を機能させる撮影シーケンスは、開始される（ステップＳ１３）。
【０１１１】
カメラ制御部１７０は、閃光発光機能を機能させる撮影シーケンスが開始された後に、ユーザーが指定する被写体にピントが合うように、ＡＦ制御を実行する。カメラ制御部１７０は、カメラ１０の設定状態に応じて、被写体の反射率を測定するために周知のモニタ発光（プリ発光）制御を行う（ステップＳ２１１）。モニタ発光制御において、カメラ制御部１７０は、モニタ発光を実行させるモニタ発光制御信号を、照明光制御部４３０へ送信する。照明光制御部４３０は、カメラ制御部１７０から受信したモニタ発光制御信号に従って、閃光制御部４４０を通して閃光発光部４４１を発光させる。カメラ制御部１７０は、カメラ１０の設定状態に応じて、閃光発光部４４１がモニタ発光を実行したときに撮像（モニタ撮像）された結果を用いたＡＥ制御とＡＷＢ制御の少なくとも一方を行う。
【０１１２】
カメラ制御部１７０は、撮像（本撮像）の実行を指令する旨のレリーズ釦１６の操作情報（レリーズ釦１６の全押し操作）が検出された場合に、発光制御（本発光制御）を行う（ステップＳ２１２）。カメラ制御部１７０は、レリーズ釦１６の操作情報（全押し操作）が検出されたタイミングに応じて設定される撮影タイミングに同期して閃光発光部４４１の発光を要求する発光制御信号Ｘを、照明光制御部４３０へ送信する。照明光制御部４３０は、発光制御信号Ｘを検出した場合に、発光制御信号Ｘが出力されたタイミングに応じて、閃光制御部４４０を通して閃光発光部４４１を発光させる。
【０１１３】
カメラ制御部１７０は、閃光発光部４４１が発光するタイミングと同期して、撮像素子１２１に対する露光を開始する（ステップＳ２１３）。カメラ制御部１７０は、ステップＳ２１３で露光を開始してから、ＡＥ制御等によって設定された露光時間が経過したときに撮像素子１２１に対する露光を終了させる（ステップＳ２１４）。カメラ制御部１７０は、ステップＳ２１４の処理の終了後に、撮像素子１２１が撮像した撮像画像を示す画像データを取り込む撮像処理を行う（ステップＳ２１５）。カメラ制御部１７０は、取り込んだ画像データを例えばメモリー１４０に記憶させる。ステップＳ２１５の処理の終了後に閃光発光機能を機能させる撮影シーケンスは、終了される。
【０１１４】
次回の定常通信シーケンスは、撮影シーケンスの終了後に、開始される。上記のように、照明光制御部４３０は、充電経過情報、充電可否情報、及び発光可否情報を含む充電状態情報を、定常通信シーケンスにおいてカメラ制御部１７０へ送信する。しかしながら、カメラシステム１は、撮影シーケンスの処理を行っている間には定常通信シーケンスを休止させているので、照明光制御部４３０が充電状態情報の送信を休止することになる。そこで、カメラ制御部１７０は、必要に応じて、照明光制御部４３０に充電制御を実行させる指令を照明光制御部４３０におくる。
【０１１５】
なお、閃光発光機能と照明発光機能のいずれも機能させない第３撮影モードの撮影シーケンス（ステップＳ１２）における処理は、例えば、ステップＳ２１３からステップＳ２１５の処理を含む。第３撮影モードの撮影シーケンスは、発光制御を行わない点で閃光発光機能を機能させる撮影シーケンスと異なる。第３撮影モードの撮影シーケンスにおける処理は、発光制御を行わない点を除くと、閃光発光機能を機能させる撮影シーケンスと同様であるので、その説明を省略する。
【０１１６】
（照明発光機能を機能させる撮影シーケンス）
次に、照明発光機能を機能させる撮影シーケンスについて説明する。照明光制御部４３０は、カメラ１０の撮影モードが第１撮影モード（照明撮影）に設定されている場合に、照明光発光部４３１の発光処理を制御する。第１撮影モードは、例えば、予め定められる所定時間内に複数回の静止画撮影処理を行う撮影モード、あるいは予め定められる所定時間継続する動画撮影処理を行う撮影モードのいずれかの撮影モードである。
【０１１７】
アクセサリー４００は、カメラ１０からの合焦完了情報を受信したタイミングで、照明光制御部４３０により切替スイッチ４６１を制御して照明光発光部４３１に電力（ＰＷＲ）を供給して照明光発光部４３１を点灯する。ＡＥ制御やＡＷＢ制御は、照明光発光部４３１が点灯している状態で行われる。
【０１１８】
図１１は、照明発光機能を機能させる撮影シーケンスにおける処理の手順を示す図である。カメラ制御部１７０は、照明発光機能を機能させる第１撮影モードの撮影シーケンスが開始した後に、撮像の準備を開始することを示すレリーズ釦１６の操作（半押し）を検出（ステップＳ３０１）すると、ＡＦ制御を開始する（ステップＳ３０２）。
カメラ制御部１７０は、ＡＦセンサーによって合焦状態を検出してＡＦ制御が終了（ステップＳ３０３）した後に、所望の被写体に対する合焦動作の完了（合焦状態に至ったこと）を示す合焦完了情報（合焦状態情報）を照明光制御部４３０へ送信する（ステップＳ３０４）。照明光制御部４３０は、この合焦状態情報を受信（ステップＳ３０５）した後に、照明光発光部４３１に制御指令を送り、照明光光源４３３の点灯を開始させる（ステップＳ３０６）。
【０１１９】
カメラ制御部１７０は、ステップＳ３０４の処理の終了後に、ＡＥ制御及びＡＷＢ制御を開始（ステップＳ３０７）して、照明光発光部４３１が被写体を照らしている状態でＡＥ制御及びＡＷＢ制御を行う。カメラ制御部１７０は、ＡＥ制御及びＡＷＢ制御が完了（ステップＳ３０８）し、撮像を要求することを示すレリーズ釦１６の操作（全押し）を検出する（ステップＳ３０９）。ステップＳ３０９の処理の終了後に、カメラ制御部１７０は、撮像素子１２１に対する露光を開始する（ステップＳ３１０）。
【０１２０】
カメラ制御部１７０は、ステップＳ３１０で露光開始してから、ＡＥ制御によって設定された露光時間が経過したときに撮像素子１２１に対する露光を終了させる（ステップＳ３１１）。カメラ制御部１７０は、ステップＳ３１１の処理の終了後に、撮像素子１２１が撮像した撮像画像の画像データを生成させ、生成した画像データをメモリー１４０等に取り込んで記憶させる（ステップＳ３１２）。カメラ制御部１７０は、ステップＳ３１２の処理の終了後に、露光を終了したことを示す露光終了情報を照明光制御部４３０へ送信する（ステップＳ３１３）。
【０１２１】
照明光制御部４３０は、カメラ制御部１７０から露光終了情報を受信（ステップＳ３１４）した後、照明光発光部４３１の照明光光源４３３を消灯させる（ステップＳ３１５）。ステップＳ３１３の処理とステップＳ３１５の処理が終了した後に、照明発光機能を用いた撮影シーケンスは終了する。
【０１２２】
上記のような手順で行われた処理において、照明光制御部４３０は、カメラ制御部１７０が合焦状態を検出した場合に、カメラ制御部１７０から受信した合焦完了情報（ステップＳ３０５）に応じて、照明光発光部４３１の照明光光源４３３を点灯させる（ステップＳ３０６）。合焦完了情報は合焦状態を示す情報である。
また、カメラ制御部１７０は、照明光発光部４３１によって被写体が照明されている状態で、露光量を調整するＡＥ制御と色調を調整するＡＷＢ制御との少なくとも一方を開始する（ステップＳ３０８）。ＡＥ制御とＡＷＢ制御は、照明光発光部４３１の発光特性を示す情報に基づいて行われる。これにより、カメラシステム１は、照明光発光部４３１から被写体に照射された光による露光量（明るさ）への影響や色調（色味）への影響が加味された状態で被写体を撮像することができる。
【０１２３】
（アクセサリー回路の変形例）
図７に示すアクセサリー４００においては、照明光発光部４３１（第１発光部）への充電を制御する照明光制御部４３０と、閃光発光部４４１（第２発光部）への充電を制御する閃光制御部４４０と、を備えている。この照明光制御部４３０と閃光制御部４４０とは、それぞれ内部にＣＰＵシステムを有しており、この２つのＣＰＵシステムにより、照明光発光部４３１（第１発光部）と閃光発光部４４１（第２発光部）における充電を制御していた。
【０１２４】
これに対して、以下に示すアクセサリー４００の変形例では、１つのアクセサリー制御部４３０Ａ（１つのＣＰＵシステム）により、照明光発光部４３１（第１発光部）と閃光発光部４４１（第２発光部）における充電動作を制御するものである。これにより、照明光発光部４３１（第１発光部）と閃光発光部４４１（第２発光部）とを１つのＣＰＵシステム（アクセサリー制御部４３０Ａ）により制御することができ、アクセサリー４００の構成が簡略化できる。
【０１２５】
図１２は、図７に示すアクセサリーの変形例を示す図である。この図１２に示すアクセサリー４００Ａは、図７に示すアクセサリー４００と比較して、図７に示す照明光制御部４３０と、閃光制御部４４０と、切替スイッチ４６１と、第２電源部（電源部２）４５０−２とを削除し、新たに、アクセサリー制御部４３０Ａと、給電スイッチ４６２とを追加した点が構成上で異なる。他の構成は、図７に示すアクセサリー４００と同様である。このため、同一の構成部分には同一の符号を付し、重複する説明は省略する。
【０１２６】
図１２に示すアクセサリー制御部４３０Ａは、カメラ制御部１７０との間で通信（例えば、定常通信シーケンス）を行うととともに、照明光発光部４３１と閃光発光部４４１の動作を制御する。また、アクセサリー制御部４３０Ａは、切り替え信号ＣＴＬにより給電スイッチ４６２のオン／オフ（閉路／開路）を制御する。なお、この給電スイッチ４６２は、図上では、接点記号で示されているが、この給電スイッチ４６２は、機械式のリレーで構成してもよく、また、半導体スイッチで構成してもよい。
【０１２７】
この給電スイッチ４６２の一方の端子（接点ｃ側の端子）は、電源線４８１に接続され、他方の端子（接点ａ側の端子）は、閃光発光部４４１の電源入力側に接続される。この給電スイッチ４６２の制御端子には、アクセサリー制御部４３０Ａから出力される切り替え信号ＣＴＬが入力され、この切り替え信号ＣＴＬにより給電スイッチ４６２のオン／オフが制御される。
【０１２８】
そして、アクセサリー制御部４３０Ａは、カメラ制御部１７０との通信（例えば、定常通信シーケンス）によりカメラ設定状態情報を受信し、カメラ１０の撮影モードを判定する。そして、カメラ１０の撮影モードが第１撮影モード（照明撮像）の場合、アクセサリー制御部４３０Ａは、切り替え信号ＣＴＬにより給電スイッチ４６２をオフ（開路）にし、閃光発光部４４１への電力（ＰＷＲ）の供給を停止することにより、充電部４４２の蓄積部への電荷の充電を停止する。
【０１２９】
一方、カメラ１０の撮影モードが第２撮影モード（閃光撮像）の場合、アクセサリー制御部４３０Ａは、切り替え信号ＣＴＬにより給電スイッチ４６２をオン（閉路）にし、閃光発光部４４１への電力（ＰＷＲ）の供給を開始することにより、充電部４４２の蓄積部への電荷の充電を行う。
【０１３０】
このように、図１２に示すアクセサリー４００Ａでは、照明光発光部４３１（第１発光部）と閃光発光部４４１（第２発光部）とを１つのＣＰＵシステム（アクセサリー制御部４３０Ａ）により制御することができる。また、閃光発光部４４１への充電の開始と停止とを１つの給電スイッチ４６２のオン／オフにより、簡単に行うことができる。
また、図１２に示すアクセサリー４００Ａでは、第２撮影モード（閃光撮像）の場合においても、照明光発光部４３１にカメラ１０から電力（ＰＷＲ）が供給されるている。このため、第２撮影モード（閃光撮像）において、照明光発光部４３１における照明光発光動作と、閃光発光部４４１における閃光発光動作とを合わせて行うようにすることもできる。
【０１３１】
なお上記実施形態では、照明光制御部４３０がカメラ１０から、撮影モードまたは撮影モードを示す撮影モード情報を受信すると、上述の切り替え信号ＣＴＬによる切替処理を行うように構成されている。しかしながら、この切替処理は、後述するように、アクセサリー４００またはカメラ１０に備えられている操作釦がユーザーにより操作されたことに応じて、アクセサリー４００の照明光制御部４３０に入力される信号であってもよい。この切り替え信号の入力に応じて、照明光制御部４３０から切り替え信号ＣＮＴ（図７を参照）、または、照明光制御部４３０から切り替え信号ＣＴＬ（図１２を参照）が出力される。
【０１３２】
なお、カメラ１０の撮影モードが第１撮影モード（照明撮像）であれば、照明光制御部４３０から出力される切り替え信号ＣＮＴ（図７を参照）の信号レベルが、Ｌレベルになる。これにより、たとえば、切替スイッチ４６１の接点が照明光側（接点ｃと接点ｂがオン）になるように制御される。
また、カメラ１０の撮影モードが第２撮影モード（閃光撮像）であれば、照明光制御部４３０から出力される切り替え信号ＣＮＴ（図７を参照）の信号レベルが、Ｈレベルになる。これにより、たとえば、切替スイッチ４６１の接点が閃光側（接点ｃと接点ａがオン）になるように制御される。
【０１３３】
（１）上記実施形態のアクセサリー４００によれば、切り替え信号（例えば、撮影モードを示す信号）に応じて切替スイッチ４６１を制御する構成となっているので、上述のようにカメラ１０において設定される撮影モードに応じて、電力を蓄積する蓄積部（充電部４４２内の蓄積部）に充電する充電部（充電部４４２）へ、電力を供給するか否かを切り替えることができる。
これにより、アクセサリー４００では、カメラ１０へ充電を要求することを示す信号を送信することなく、また、カメラ１０からの充電指令信号を受信することなく、撮影モードに応じて、電力を蓄積する蓄積部（充電部４４２内の蓄積部）に充電する充電部（充電部４４２）へ、電力を供給するか否かを切り替えることができる。よって、アクセサリー４００の利便性を向上させることができる。
【０１３４】
（２）また、上記実施形態において、複数の発光部（たとえば、照明光発光部４３１と閃光発光部４４１）を更に備え、切替スイッチ４６１は、発光部（たとえば、閃光発光部４４１）を制御するそれぞれの制御部（たとえば、閃光制御部４４０）を、活性または非活性に選択的に制御する。ここで、制御部を活性させる（活性に制御する）、とは、制御部に給電して、制御部を機能可能な状態にすることである。また、制御部を非活性にする（非活性に制御する）、とは、制御部への給電を絶って、制御部を機能不能な状態にすることである。
これにより、照明光制御部４３０は、切り替え信号に応じて、切替スイッチ４６１を介して、発光部（たとえば、閃光発光部４４１）を制御するそれぞれの制御部（たとえば、閃光制御部４４０）を、活性または非活性に選択的に制御することができる。
なお、発光部（たとえば、閃光発光部４４１）は非活性にされることにより、この発光部（たとえば、閃光発光部４４１）は、カメラ１０へ充電を要求することを示す信号を送信することや、カメラ１０からの充電指令信号を受信することがなくなる。よって、アクセサリー４００全体の制御を、簡易にすることができる。
【０１３５】
なお、図７を用いた説明においては、照明光制御部４３０が、切り替え信号（撮影モード）に応じて切替スイッチ４６１を切り替えることにより、閃光制御部４４０を活性または非活性に選択的に制御した。しかし、これに限られるものではなく、切り替え信号（撮影モード）に応じて切替スイッチ４６１を切り替える構成を照明光制御部４３０とは異なる構成とし、または、照明光制御部４３０の一部の構成としてもよい。そして、この構成が、切り替え信号（撮影モード）に応じて切替スイッチ４６１を切り替えることにより、閃光制御部４４０とともに照明光制御部４３０に対しても、活性または非活性に選択的に制御してもよい。
すなわち、複数の発光部（たとえば、照明光発光部４３１と閃光発光部４４１）を更に備え、切替スイッチ４６１は、発光部（たとえば、照明光発光部４３１と閃光発光部４４１）を制御するそれぞれの制御部（たとえば、照明光制御部４３０または閃光制御部４４０のそれぞれ）を、活性または非活性に選択的に制御してもよい。
なおこの場合、切替スイッチ４６１は、閃光制御部４４０への給電を制御するとともに、照明光制御部４３０への給電も制御する。また、たとえば、照明光制御部４３０の機能のうち、切替スイッチ４６１を介して給電されないことにより非活性とされる機能は、照明光発光部４３１を制御する機能であり、カメラ１０と通信する機能などは、切替スイッチ４６１を介して給電されない期間も、他の給電系統からの給電により活性されている。
【０１３６】
（３）また、上記実施形態において、アクセサリー制御部（照明光制御部４３０）は、切り替え信号が所定の第１切替信号の場合（例えば、撮影モードが第１撮影モード（照明撮像）の場合）には、切替スイッチ４６１を介して、複数の発光部のうちの第１発光部（照明光発光部４３１）による発光処理を選択的に機能させる（選択的に活性化させる）。また、アクセサリー制御部（照明光制御部４３０）は、切り替え信号が所定の第２切替信号の場合（例えば、撮影モードが第２撮影モード（閃光撮像）の場合）には、切替スイッチ４６１を介して、複数の発光部のうちの第２発光部（閃光発光部４４１）による発光処理を選択的に機能させる（選択的に活性化させる）。
これにより、照明光制御部４３０は、切り替え信号に応じて、切替スイッチ４６１を介して、発光部（たとえば、閃光発光部４４１）を制御するそれぞれの制御部（たとえば、閃光制御部４４０）を、選択的に機能させる（活性化させる）ことができる。
【０１３７】
（４）また、上記実施形態において、第１発光部（照明光発光部４３１）は連続発光し、第２発光部（閃光発光部４４１）は閃光発光する。
これにより、アクセサリー制御部（照明光制御部４３０）は、発光方式が異なる２つの発光部である、連続発光する第１発光部（照明光発光部４３１）と、閃光発光する第２発光部（閃光発光部４４１）とを、切替スイッチ４６１を介して、選択的に機能させる（活性化させる）ことができる。
【０１３８】
（５）また、上記実施形態において、第２発光部（閃光発光部４４１）が発光する場合、蓄積部（充電部４４２内の蓄積部）に充電された電力が、第２発光部（閃光発光部４４１）に供給される。
（６）また、上記実施形態において、第１発光部（照明光発光部４３１）が発光する場合、カメラ１０から供給される電力が、第１発光部（照明光発光部４３１）に供給される。
これにより、発光方式が異なる２つの発光部である第２発光部（閃光発光部４４１）と第１発光部（照明光発光部４３１）とには、それぞれが発光する場合、それぞれの発光方式に適切な電力が供給される。
【０１３９】
（７）また、上記実施形態において、アクセサリー制御部（照明光制御部４３０）は、切替スイッチ４６１を介して、切り替え信号が第１切替信号の場合には、第１発光部（照明光発光部４３１）に電力を供給し、切り替え信号が第２切替信号の場合には、第２発光部（閃光発光部４４１）に電力を供給する。
このよう構成のアクセサリー４００では、切り替え信号（撮影モード）の態様（例えば、第１撮影モード（照明撮像）、または、第２撮影モード（閃光撮像））に応じて、発光方式が異なる２つの発光部である第２発光部（閃光発光部４４１）と第１発光部（照明光発光部４３１）とに電力が供給される。これにより、アクセサリー制御部（照明光制御部４３０）は、切り替え信号（撮影モード）に応じて、切替スイッチ４６１を介して、電力を供給した発光部を活性に制御し、電力を供給しなかった発光部を非活性に制御することができる。
【０１４０】
（８）また、上記実施形態において、アクセサリー制御部（照明光制御部４３０）は、カメラ１０の撮影モードに応じて、切替スイッチ４６１を制御する。
これにより、アクセサリー制御部（照明光制御部４３０）は、切り替え信号としての撮影モードに応じて、切替スイッチ４６１を制御することができる。
【０１４１】
（９）また、上記実施形態において、撮影モードは、予め定められている複数の撮影モードのうちから選択されたいずれかの撮影モードであり、複数の撮影モードには、カメラ１０が動画撮影を行う第１撮影モード（照明撮像）、及びカメラ１０が静止画撮影を行う第２撮影モード（閃光撮像）が含められている。
これにより、アクセサリー制御部（照明光制御部４３０）は、カメラ１０における撮影モードに応じて、切替スイッチ４６１を制御することができる。
【０１４２】
（１０）また、上記実施形態において、アクセサリー制御部（照明光制御部４３０）は、カメラ１０から、撮影モードを示す撮影モード情報が入力される。
これにより、アクセサリー制御部（照明光制御部４３０）は、入力された切り替え信号としての撮影モード情報であって、カメラ１０から受信した撮影モード情報により示される撮影モードに応じて、切替スイッチ４６１を制御することができる。
【０１４３】
以上、本発明の実施形態について説明したが、本発明の技術範囲は上記の実施形態に限定されるものではない。上記の実施形態で説明した構成要素のうち少なくとも１つの構成要素は、省略される場合がある。上記の実施形態で説明した各構成要素は、適宜、組み合わせることができる。
【０１４４】
例えば、本実施形態のアクセサリー４００では、カメラ１０から撮影モードの情報を受信し、この撮影モードに応じて生成された切り替え信号により切替スイッチ４６０を制御して、アクセサリー４００における充電を制御しているがこれに限定されない。例えば、ユーザー操作（例えば、切替釦による操作）により、切替スイッチ４６１の切り替えを行うようにしてもよい。
【０１４５】
（１１）一例としては、アクセサリー４００に、操作部（第１の操作部）が備えられていてもよい。そして、このアクセサリー４００に備えられている操作部（第１の操作部）の操作状態に応じた切り替え信号が、アクセサリー制御部（照明光制御部４３０）に入力される。この入力により、アクセサリー制御部（照明光制御部４３０）は、切替スイッチ４６１の切り替えを行うようにしてもよい。
ここで、この操作部（第１の操作部）とは、たとえば、ユーザーが手動で操作できるようにアクセサリー４００に取り付けられている（設けられている）操作スイッチのことである。たとえば、操作部材の位置を第１の位置とこの第１の位置とは異なる第２の位置との間で変更できるスイッチや、ユーザーが押下する毎に押下状態と非押下状態とに状態を切り替えることが可能なスイッチのことである。また、この操作部（第１の操作部）を、アクセサリー４００が備えている表示部であって選択項目などを表示する表示部と、表示された選択綱目の中から項目を選択および決定する十字キーなどの操作釦とを組み合わせた入力装置として構成しても良い。また、この操作部（第１の操作部）を、選択項目を表示するとともにその表示された選択綱目の中から項目を選択および決定するユーザーによる操作を受け付けるタッチパネルとしても良い。
このような操作部（第１の操作部）がユーザーにより操作されることにより、照明発光部を発光させるのか、或いは閃光発光部を発光させるのかを、ユーザーが直接的に切り換え操作できるようしても良い。あるいはカメラ１０の動作モード情報を、すなわち上述の動画撮影を行う第１撮影モード（照明撮像）、静止画撮影を行う第２撮影モード（閃光撮像）のうちから、いずれかの撮影モードを選択入力できるように構成しても良い。そして、操作部の操作が、切り替え信号として、アクセサリー制御部（照明光制御部４３０）に入力される。
【０１４６】
（１２）または、カメラ１０に、ユーザーにより操作される操作部（第２の操作部）が備えられていてもよい。このカメラ１０に備えられている操作部（第２の操作部）は、上述したアクセサリー４００に備えられている操作部（第１の操作部）と同様の操作部である。
そして、カメラ１０に備えられている操作部（第２の操作部）の操作状態に応じた切り替え信号が、アクセサリー制御部（照明光制御部４３０）に入力される。この入力により、アクセサリー制御部（照明光制御部４３０）は、切替スイッチ４６１の切り替えを行うようにしてもよい。
【０１４７】
上記に説明したように、アクセサリー４００に備えられている操作部（第１の操作部）またはカメラ１０に備えられている操作部（第２の操作部）を介して、ユーザーにより入力された切り替え信号に応じて、切替スイッチ４６１の接点のオン／オフ状態を制御する。これにより、照明光発光部４３１に電力を供給して照明光発光動作が行えるようにするか、または、閃光制御部４４０及び閃光発光部４４１に電力を供給して、閃光発光動作が行えるようにするかを容易に設定することができる。
【０１４８】
（１３）なお、上記の説明においては、カメラ１０からアクセサリー４００に電力が供給されるものとして説明した。しかしこれに限られるものではなく、アクセサリー４００が一次電池または二次電池などの電源部を、内蔵または取り付けられるようになっていてもよいし、バッテリーパックなどの電源部が接続されるようになっていてもよい。または、ＡＣアダプターなどの電源部からの電力が、アクセサリー４００に供給されてもよい。アクセサリー４００のアクセサリー制御部（照明光制御部４３０）は、これら電源部から供給された電力の供給を、入力された切り替え信号に応じて、切替スイッチ４６１を介して制御する。
【０１４９】
なお、上述のカメラボディ１００とアクセサリー４００，４００Ａは、内部にコンピュータシステムを有している。そして、各機能部の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリーやＯＳ、周辺機器等のハードウェアを含むものである。
【０１５０】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【０１５１】
１…カメラシステム、１０…カメラ、１５…シュー座、１６…レリーズ釦、１００…カメラボディ、１４０…メモリー、１７０…カメラ制御部、４００，４００Ａ…アクセサリー、４３０…照明光制御部、４３０Ａ…アクセサリー制御部、４３１…照明光発光部、４３２…照明光光源駆動部、４３３…照明光光源、４４０…閃光制御部、４４１…閃光発光部、４４２…充電部、４４３…閃光光源、４５０−１…電源部１、４５０−２…電源部２、４６１…切替スイッチ、４６２…給電スイッチ、Ｔｓ１・・・接地端子、Ｔｓ２・・・接地端子、Ｔｓ３・・・基準電位端子、Ｔｓ４・・・クロック信号（同期信号）端子、Ｔｓ５・・・基準電位端子、Ｔｓ６・・・通信信号（データ信号）端子、Ｔｓ７・・・起動状態提供端子、Ｔｓ８・・・発光制御信号端子、Ｔｓ９・・・通信制御信号端子、Ｔｓ１０・・・オープン端子、Ｔｓ１１・・・電源端子、Ｔｓ１２・・・電源端子、ＣＬＫ・・・同期信号、ＤＥＴ・・・起動検出レベル、ＤＡＴＡ・・・通信信号（データ信号）、ＰＷＲ・・・電力、Ｘ・・・発光制御信号
【図１】
0005459281.tif 000002
【図２】
0005459281.tif 000003
【図３】
0005459281.tif 000004
【図４】
0005459281.tif 000005
【図５】
0005459281.tif 000006
【図６】
0005459281.tif 000007
【図７】
0005459281.tif 000008
【図８】
0005459281.tif 000009
【図９】
0005459281.tif 000010
【図１０】
0005459281.tif 000011
【図１１】
0005459281.tif 000012
【図１２】
0005459281.tif 000013